(57)【要約】【課題】    植物を植え付けるための土壌を上下方向に沿って立体的に高い自由度の形状で保持することができる該土壌の外面を覆う被覆物を提供する。【解決手段】植物を植え付けるための土壌の外面を被覆する、天然植物繊維とパルプとを含有してなる、土壌外面被覆組成物である。該土壌を支持するため、載置面に載置される支持部材であって、下面が載置面に当接し、上方にのびるように形成された縦部材と、該土壌を支持する上面が横方向に突出するよう縦部材に取り付けられた板状の横部材と、を備えてなる、支持部材である。【選択図】  図１
2009261342.tif 000002
【特許請求の範囲】
【請求項１】
植物を植え付けるための土壌の外面を被覆する、天然植物繊維とパルプとを含有してなる、土壌外面被覆組成物。
【請求項２】
天然植物繊維がヤシガラ繊維である、請求項１に記載の土壌外面被覆組成物。
【請求項３】
パルプが古紙パルプである、請求項１又は２に記載の土壌外面被覆組成物。
【請求項４】
パーライト、クンタン、腐葉土、ピートモス及びバーミキュライトよりなる群より選ばれる１又は２以上の混合物である土成分をさらに含むものである、請求項１乃至３のいずれか１に記載の土壌外面被覆組成物。
【請求項５】
土壌外面被覆組成物全体の乾燥重量ｗｔに対するパルプの乾燥重量ｗ２の割合（ｗ２／ｗｔ）が０．２３以上である、請求項１乃至４のいずれか１に記載の土壌外面被覆組成物。
【請求項６】
土壌外面被覆組成物全体の乾燥重量ｗｔからパルプの乾燥重量ｗ２を減じた残分（ｗｔ−ｗ２）に対する天然植物繊維の乾燥重量ｗ１の割合（ｗ１／（ｗｔ−ｗ２））が０．５以上である、請求項１乃至５のいずれか１に記載の土壌外面被覆組成物。
【請求項７】
天然植物繊維の乾燥重量ｗ１に対するパルプの乾燥重量ｗ２の割合（ｗ２／ｗ１）が、０．３〜４である、請求項１乃至６のいずれか１に記載の土壌外面被覆組成物。
【請求項８】
植物を植え付けるための土壌を支持するため、載置面に載置される支持部材であって、
下面が載置面に当接し、上方にのびるように形成された縦部材と、
該土壌を支持する上面が横方向に突出するよう縦部材に取り付けられた板状の横部材と、
を備えてなる、支持部材。
【請求項９】
前記横部材の上面が、縦部材に取り付けられた基端側から先端側に向かうにつれて上昇するものである、請求項８に記載の支持部材。
【請求項１０】
横部材に上面と下面とを連絡する複数の開口が形成されているものである、請求項８又は９に記載の支持部材。
【請求項１１】
所定の線分に対して垂直な平面のいずれで切断した輪郭も閉曲線を形成し、連通孔が複数形成されている隔壁部材をさらに備えてなる、請求項８乃至１０のいずれか１に記載の支持部材。
【請求項１２】
想定される前記植物の根の少なくとも一部が前記連通孔を通過可能なものである、請求項１１に記載の支持部材。
【請求項１３】
請求項１乃至７のいずれか１に記載の土壌外面被覆組成物と水分との混合物及び該混合物から水分が蒸発し固形化した土壌外面被覆固形物の少なくとも一方を掘削する掘削具であって、
少なくとも一端が開放された中空の円筒形状をした掘削本体部と、
該円筒の軸方向に突出するよう、該一端の縁部に沿って形成された歯部と、
を備えてなる、掘削具。
【請求項１４】
前記一端からの距離を示す目盛が掘削本体部の外周面に付されているものである、請求項１３に記載の掘削具。
【請求項１５】
請求項１乃至７のいずれか１に記載の土壌外面被覆組成物と水分との混合物から水分が蒸発し固形化した土壌外面被覆固形物に埋入され、水分又は気体を内部に流通させる導管部材であって、
少なくとも一端が開放された中空の管形状を有すると共に、内部と外部とを連通させる連通孔が複数形成されたものである、導管部材。
【請求項１６】
両端が開放された中空の円筒形状を有すると共に、
該両端のうち前記一端の反対である他端の縁部に沿って、該円筒の軸方向に突出するよう歯部が形成されたものである、請求項１５に記載の導管部材。
【請求項１７】
請求項１乃至７のいずれか１に記載の土壌外面被覆組成物と、請求項８乃至１２のいずれか１に記載の支持部材と、を含む植栽セット。
【請求項１８】
請求項１３又は１４に記載の掘削具をさらに含むものである、請求項１７に記載の植栽セット。
【請求項１９】
請求項１５又は１６に記載の導管部材をさらに含むものである、請求項１７又は１８に記載の植栽セット。
【請求項２０】
請求項８乃至１２のいずれか１に記載の支持部材と、請求項１３又は１４に記載の掘削具と、を含む植栽セット。
【請求項２１】
請求項８乃至１２のいずれか１に記載の支持部材と、請求項１５又は１６に記載の導管部材と、を含む植栽セット。
【請求項２２】
請求項１５又は１６に記載の導管部材をさらに含むものである、請求項２０に記載の植栽セット。 
【請求項２３】
前記縦部材と、前記縦部材に取り付け可能な前記横部材と、を含んでなる請求項８乃至１２のいずれか１に記載の支持部材の製作セット。
【請求項２４】
前記支持部材に替えて、請求項２３に記載の支持部材の製作セットを含む、請求項１７乃至２２のいずれか１に記載の植栽セット。
【発明の詳細な説明】
【技術分野】
【０００１】
本発明は、土壌外面被覆組成物及び土壌を支持するための支持部材に関し、より詳細には、植物を植え付けるための土壌の外面を被覆する土壌外面被覆組成物、植物を植え付けるための土壌を支持する支持部材、土壌外面被覆組成物と水分との混合物又は該混合物から水分が蒸発し固形化した土壌外面被覆固形物を掘削する掘削具、そして土壌外面被覆固形物に埋入される導管部材に関する。
【背景技術】
【０００２】
畑や庭又は屋内の限られたスペースを有効に利用して園芸植物を栽培するためや、花弁の植込みに趣向を凝らし装飾効果を高めるため等に、植物を植え付けるための土壌を上下方向に沿って立体的に保持し、該立体的な土壌の側面に園芸植物を植え込むための開口部を設けた植木鉢やプランターが種々提案されている（例えば、特許文献１、特許文献２、特許文献３参照）。
【０００３】
例えば、特許文献１には、「植物育成培地の垂直に延びた塔を支持しそして吊り下げる手段を含む植物栽培装置が提供され、前記手段は、柔軟なウェブ材料の筒型壁を有する管状のバッグ構造体、バッグ構造体の底にある保水用ディッシュ、およびバッグ構造体を吊り下げる手段を含み、ここで、管状のバッグ構造体は植物育成培地により充填され、そして吊り下げられることができ；そして筒型壁に開口部が提供されることができ、それにより、植物は培地中で成長し、そして壁の外側に向かって延びることことができる。」（発明の詳細な説明中、発明の開示の冒頭部分）ものであり、「植物育成培地（例えは、土壌または堆肥を含む）を内部バッグ１２中に注ぐ。外側バッグの開口部２０でフィルムおよびメッシュバッグを通して切断部を作ることにより、種子または植物を選択された場所に植える。」（発明の詳細な説明中、好ましい態様の説明）ことができるものが開示されている。
【０００４】
また、特許文献２には、「複数の植物の植え込み位置を立体的に配置して、これを育成することができ、植え付ける植物の株数を増やすと共に、成育過程を立体的に観賞できるようにする」（要約の目的）ためになされた「内部に植込み用土が充填される中空部と、中空部の内外に通じる複数の植込み孔とを備えた筒状体と、植込み孔からの用土の脱落を阻止するために植込み孔の少なくとも一部を塞ぐように張設された通水性のシート部材とを具備することを特徴とする立体型プランター」（請求項１）が開示されている。
【０００５】
そして、特許文献３には、「安価かつシンプルな構成で取扱いが簡単なものでありながら、利用者による植付位置の選択自由度が高く、その設置時の安定性も高い園芸用立体寄植具と、該園芸用立体寄植具を用いた効果的な立体寄植方法を提供する」（要約の課題）ためになされた「ネット、不織布又はその両方を重ねたシートの中から選択される培養土保持シートを、上面と底面とが開放された略截頭錐台形状に形成してなる立体寄植具であって、前記培養土保持シートは、任意箇所において容易に切込形成可能であることを特徴とする園芸用立体寄植具」（請求項１）が開示されており、これにより「培養土保持シートに通水性を有するネットや不織布を使用しているため、土崩れを防止するだけでなく、その表面からの水分補給も可能である。また、安価かつシンプルな構成で取扱いが簡単なものでありながら、利用者による植付植物の配置の選択自由度、サイズや形状の変更自由度、設置時の安定性、視覚的効果、占有面積当りの収穫率が高く、さらに再利用も可能なものである。この寄植具は、市販されている従来の植木鉢やプランターと組み合せて使用することが可能であるため、経済的であると同時に様々な装飾のバリエーションを楽しむこともできる」（段落番号００２７）。
【０００６】
【特許文献１】特表平０８−５０６００４号公報（例えば、発明の詳細な説明中、発明の開示、好ましい態様の説明、第１図等）
【特許文献２】特開平８−２８９６６９号公報（例えば、要約、特許請求の範囲の請求項１、第１図、第２図等）
【特許文献３】特開２００４−１８７６４６号公報（例えば、要約、特許請求の範囲の請求項１、発明の詳細な説明中の段落番号００２７、第１図、第２図等）
【発明の開示】
【発明が解決しようとする課題】
【０００７】
このような特許文献１乃至３に開示された発明では、植物を植え付けるための土壌を上下方向に沿って立体的な形状に保持するため該土壌の外面を覆う被覆物（特許文献１では柔軟なウェブ材料の筒型壁を有する管状のバッグ構造体であり、特許文献２では筒状体であり、特許文献３では上面と底面とが開放された略截頭錐台形状に形成してなる培養土保持シートである。）の形状が予め定まっていることから、植物を植え付けるための土壌の形状も該被覆物に応じた形状にせざるを得ないことから植物を植え付けるための土壌の形状の自由度は低いものであった。かかる土壌形状の自由度が低いことは、周囲の空間の状況に応じて自由に土壌形状を選択できないことから空間の効率的な利用が妨げられたり、趣のある土壌形状にすることができないため装飾効果が低下するといった問題を生じうる。
【０００８】
そこで、本発明においては、植物を植え付けるための土壌を上下方向に沿って立体的に高い自由度の形状で保持することができる該土壌の外面を覆う被覆物を提供することを目的とする。
また、本発明では、植物を植え付けるための土壌を上下方向に沿って立体的に支持するための支持部材、該被覆物を掘削する掘削具、そして該被覆物に埋入され水分又は気体を内部の該土壌に流通させる導管部材も提供する。
【課題を解決するための手段】
【０００９】
本発明者は、植物を植え付けるための土壌を上下方向に沿って立体的に高い自由度の形状で保持することができる該土壌の外面を覆う被覆物に関し、鋭意研究したところ、天然植物繊維とパルプとを含有する組成物と水分との混合物によって、植物を植え付けるための土壌（上下方向に沿って立体的に形成された土壌）の外面を被覆（例えば、塗着）することで、該混合物から水分が蒸発等し固化（固化したものが被覆物となる。）することにより植物を植え付けるための土壌を上下方向に沿って立体的に保持することができることを見出し本発明を完成させた。該混合物により被覆される土壌は自由な形状にすることができるので、該混合物によれば土壌を高い自由度により立体的形状で保持することができる。
即ち、本発明の組成物（以下、「本組成物」という。）は、植物を植え付けるための土壌の外面を被覆する、天然植物繊維とパルプとを含有してなる、土壌外面被覆組成物である。上述の如く、上下方向に沿って立体的に形成された土壌（自由な形状に成形できる。）の外面を、本組成物と水分との混合物により被覆（例えば、塗着）すれば、該混合物から水分が蒸発等して固化し、該固化した固形物（前記被覆物に該当する。また、土壌外面被覆固形物ということもある。）が該土壌の外面を覆うことで、植物を植え付けるための土壌を上下方向に沿って立体的に高い自由度（土壌を自由な形状に成形可能）の形状で保持することができる。
【００１０】
本組成物の天然植物繊維がヤシガラ繊維であってもよい。
本組成物の天然植物繊維は、ヤシガラ繊維、ガマ繊維、木綿、麻繊維、竹繊維、ケナフ繊維等のような天然植物由来の繊維を広く用いることができるが、とりわけヤシガラ繊維を用いることが好ましい。ヤシガラ繊維は、パルプとの親和性がよく、ヤシガラ繊維とパルプとを含有する本組成物に基づき形成される被覆物（本組成物と水分との混合物から水分が蒸発等して固化した固形物であり、土壌外面被覆固形物ということもある。）の強度を向上させ、植物を植え付けるための土壌を上下方向に沿って立体的に確実に保持することができる。
【００１１】
本組成物のパルプが古紙パルプであってもよい。
古紙パルプは、既に使用された物の廃棄物から得られたものであり、例えば、飲料パック再生パルプ（例えば、厚紙製の牛乳容器（パック）やジュース容器（パック）を原料として得られたパルプ）、ダンボール再生パルプ（段ボール紙を原料として得られたパルプ）、新聞再生パルプ（新聞紙を原料として得られたパルプ）等を例示することができる。このような古紙パルプを本組成物の調製に用いれば、古紙パルプが安価であることから本組成物を安価に形成することができると共に、廃物利用の観点から環境問題を生じにくい。
【００１２】
本組成物は、パーライト、クンタン、腐葉土、ピートモス及びバーミキュライトよりなる群より選ばれる１又は２以上の混合物である土成分をさらに含むものであってもよい。
ここに土成分は、パーライト、クンタン、腐葉土、ピートモス及びバーミキュライトよりなる群より選ばれる１（即ち、パーライト、クンタン、腐葉土、ピートモス、バーミキュライトのどれか１個）又は２以上の混合物（パーライト、クンタン、腐葉土、ピートモス、バーミキュライトのうちから選ばれた２〜５個の混合物）である。
かかる土成分を本組成物が含むことで、本組成物に基づき形成される被覆物（土壌外面被覆固形物）の表面の色彩を所望のものに近づけるよう調整することができる（本組成物はパルプを含むので、被覆物（土壌外面被覆固形物）の表面は白色又は灰色に近くなりやすいが、土成分を配合することで、土成分の成分や配合量によって通常の土壌の色彩に近づけることが可能である。）と共に、被覆物（土壌外面被覆固形物）の表面に好みに応じて凹凸をうまくつけることも可能である。
【００１３】
本組成物においては、土壌外面被覆組成物（本組成物）全体の乾燥重量ｗｔに対するパルプの乾燥重量ｗ２の割合（ｗ２／ｗｔ）が０．２３以上であってもよい。
土壌外面被覆組成物（本組成物）全体の乾燥重量ｗｔに対するパルプの乾燥重量ｗ２の割合（ｗ２／ｗｔ）は、あまり小さいと被覆物（土壌外面被覆固形物）に水分がかかったり（例えば、水やりや雨）した際に被覆物（土壌外面被覆固形物）が崩れる問題が生じやすくなり、逆にあまり大きいと被覆物（土壌外面被覆固形物）中のパルプ成分が多すぎて被覆物（土壌外面被覆固形物）の外観に違和感（土壌に似た好ましい外観ではなく、パルプの塊様になる。）を生じ得るので、これらを両立する範囲とされることが好ましく、通常、好ましくは０．２３以上であり、より好ましくは０．３２以上であり、逆に、好ましくは０．６７以下であり、より好ましくは０．４３以下である。
【００１４】
本組成物においては、土壌外面被覆組成物（本組成物）全体の乾燥重量ｗｔからパルプの乾燥重量ｗ２を減じた残分（ｗｔ−ｗ２）に対する天然植物繊維の乾燥重量ｗ１の割合（ｗ１／（ｗｔ−ｗ２））が０．５以上であってもよい。
土壌外面被覆組成物（本組成物）全体の乾燥重量ｗｔからパルプの乾燥重量ｗ２を減じた残分（ｗｔ−ｗ２）に対する天然植物繊維の乾燥重量ｗ１の割合（ｗ１／（ｗｔ−ｗ２））は、あまり小さいと被覆物（土壌外面被覆固形物）に水分がかかったり（例えば、水やりや雨）した際に被覆物（土壌外面被覆固形物）が崩れる問題が生じやすくなるので、通常、好ましくは０．５以上であり、より好ましくは０．７５以上である（（ｗ１／（ｗｔ−ｗ２））の上限は１である）。
【００１５】
本組成物においては、天然植物繊維の乾燥重量ｗ１に対するパルプの乾燥重量ｗ２の割合（ｗ２／ｗ１）が、０．３〜４であってもよい。
天然植物繊維の乾燥重量ｗ１に対するパルプの乾燥重量ｗ２の割合（ｗ２／ｗ１）は、あまり小さいと被覆物（土壌外面被覆固形物）に水分がかかったり（例えば、水やりや雨）した際に被覆物（土壌外面被覆固形物）が崩れる問題が生じやすくなり、逆にあまり大きいと被覆物（土壌外面被覆固形物）中のパルプ成分が多すぎて被覆物（土壌外面被覆固形物）の外観に違和感（土壌に似た好ましい外観ではなく、パルプの塊様になる。）を生じ得るので、これらを両立する範囲とされることが好ましく、通常、好ましくは０．３以上であり、より好ましくは０．４５以上であり、逆に、好ましくは４以下であり、より好ましくは１．５以下である。
【００１６】
また、本発明では、植物を植え付けるための土壌を上下方向に沿って立体的に支持するための支持部材も提供する。
即ち、本発明の支持部材（以下、「本支持部材」という。）は、植物を植え付けるための土壌を支持するため、載置面に載置される支持部材であって、下面が載置面に当接し、上方にのびるように形成された縦部材と、該土壌を支持する上面が横方向に突出するよう縦部材に取り付けられた板状の横部材と、を備えてなる、支持部材である。
本支持部材は、縦部材と、縦部材に取り付けられた板状の横部材と、を備えてなる。縦部材は、本支持部材が載置される載置面に下面が当接し、載置面に下面が当接した状態において上方にのびるように形成されている。そして、横部材は板状の部材であり、横部材の上面は横方向に突出するように縦部材に取りつけられている（横部材の該上面の水平面への正投影（平行投影）像が形成される。）。このような本支持部材によれば、板状の横部材は縦部材によって載置面に対して支持されるので、横方向に突出する横部材の上面に土壌を載置することができ、植物を植え付けるための該土壌を上下方向に沿って立体的に支持することができる（載置面から上方にのびるように形成された縦部材により支持される横部材の上面（載置面よりも上方）に該土壌を支持させることで、該土壌を上下方向に沿って立体的に支持できる。）。
【００１７】
本支持部材では、前記横部材の上面が、縦部材に取り付けられた基端側から先端側に向かうにつれて上昇するものであってもよい。
横部材の上面は、植物を植え付けるための土壌を支持するものであるので、縦部材に取り付けられた基端側から先端（開放された端）側に向かうにつれて降下するものであれば、支持した土壌が基端側から先端（開放された端）側に向かって滑り落ちる等して該土壌をうまく支持できないことがあり得る。このように横部材の上面が基端側から先端（開放された端）側に向けて降下することにより土壌が先端（開放された端）側に向かって脱落する問題を防止又は減少させるため、横部材の上面が基端側から先端（開放された端）側に向かうにつれて上昇するようにしてもよい（なお、土壌が先端（開放された端）側から基端側に向かって滑り落ちようとしても、基端側には縦部材が存するので、土壌は基端側から滑り落ちにくい。）。
横部材の上面が基端側から先端側に向かうにつれて上昇する角度（水平面に対する角度）は、あまり小さいと、土壌が基端側から先端側に向かって滑り落ちることを防止する該土壌に加わる先端側から基端側に向かわせる力（該土壌に加わる重力の該上面に沿った先端側から基端側への分力）が小さくなるので土壌が先端側から脱落しやすくなったり、横部材の下部に土壌を詰め込みにくく空洞になりやすいので該下部の空間の有効利用が難しい（該下部への植栽が難しい）といった問題を生じ、逆に、該角度があまり大きいと、該上面の水平面への投影面積が小さくなるので十分な量の土壌が支持できないことや、横部材の下方空間への植え付けが難しくなるという問題が生じ得る。このため該角度はこれらを両立する範囲とされることが好ましく、通常、好ましくは１５度以上であり、より好ましくは３０度以上であり、最も好ましくは４０度以上であり、逆に、好ましくは７０度以下であり、より好ましくは６０度以下であり、最も好ましくは５０度以下である。
【００１８】
本支持部材においては、横部材に上面と下面とを連絡する複数の開口が形成されているものであってもよい。
このように横部材に上面と下面とを連絡する複数の開口が形成されていれば、横部材の上面に支持された土壌に植物が植えられた際、植物の根がこれら複数の開口を貫通して伸びることができるので植物の根張りが良好となり植物の成長が促進される。
これら横部材の上面と下面とを連絡する複数の開口は、個々の開口があまり小さいと植物の根がうまく貫通して伸びることができない問題を生じ得るし、逆に、個々の開口があまり大きいと横部材の上面に支持された土壌がこれら開口を通じて落下し該上面にうまく土壌を支持できない問題を生じうる（なお、開口が大きい場合、予め水分を十分含ませた土壌を横部材に支持させることで、開口からの土壌の落下を防止又は減少させることができる。）ので、これらを両立する範囲とされることが好ましく、通常、該複数の開口に含まれる個々の開口が直径６ｍｍの球を通過させることができるが、直径１１ｍｍの球を通過させることができない程度が好ましい。
【００１９】
本支持部材においては、所定の線分に対して垂直な平面のいずれで切断した輪郭も閉曲線を形成し、連通孔が複数形成されている隔壁部材をさらに備えてなるもの（以下、「隔壁部材保有本支持部材」という。）であってもよい。
このような隔壁部材は、所定の線分に対して垂直な平面のいずれで切断した輪郭も閉曲線（隔壁部材に形成された連通孔は、隔壁部材の一部とする。）を形成するのである程度の拡がり（所定の線分の長さに応じた拡がり）を有する内部空間を形成する。そして隔壁部材は、その内部空間と外部空間とを複数の連通孔によって連通させつつ内部空間と外部空間とを仕切るので、隔壁部材に面する両空間（内部空間と外部空間）の間で、植物を植え付けるための土壌が流通することを減少させる。このような隔壁部材は植物に対して好ましい効果を与えるため種々の目的に使用できるが、例えば、（ａ）隔壁部材の内部空間に土壌を収容しておけば、植物の根がこれら複数の連通孔を貫通して内部空間に存する土壌内部に伸びることができるので植物の根張りが良好となり植物の生育が促進されるし、（ｂ）隔壁部材の内部空間を空洞にしておき、該空洞を外部環境に連通させるようにすれば該空洞に空気を供給することができ、植物の根（複数の連通孔を貫通して内部空間に伸びた根は勿論、隔壁部材の外部空間に存する根についても複数の連通孔から外部空間に流出した空気が供給される。）に十分な酸素を与えることで植物の根張りが良好となり植物の生育が促進される。
【００２０】
隔壁部材保有本支持部材の場合、想定される前記植物の根の少なくとも一部が前記連通孔を通過可能なものであってもよい。
上述の通り、隔壁部材保有本支持部材においては、（ａ）隔壁部材の内部空間に土壌を収容する場合、植物の根が前記連通孔を貫通して内部空間に存する土壌内部に伸びることが好ましく、そして（ｂ）隔壁部材の内部空間を空洞にして該空洞に空気を供給する場合、植物の根が複数の連通孔を貫通して内部空間に伸びることが好ましい。従って、想定される前記植物の根の少なくとも一部が前記連通孔を通過可能であることが、これら（ａ）及び（ｂ）のいずれも好ましい。
前記連通孔は、あまり小さいと、想定される植物の根が前記連通孔をうまく通過できない問題を生じ得るし、逆に、前記連通孔があまり大きいと土壌が流通することを隔壁部材がうまく減少させることができない問題を生じうる（なお、連通孔が大きい場合、予め水分を十分含ませた土壌を用いることで隔壁部材が土壌が流通することを減少させることができる。）ので、これらを両立する範囲とされることが好ましく、通常、個々の前記連通孔が直径６ｍｍの球を通過させることができるが、直径１３ｍｍの球を通過させることができない程度が好ましい。
【００２１】
さらに、本発明では、土壌外面被覆組成物（本組成物）と水分との混合物及び／又は該混合物から水分が蒸発し固形化した土壌外面被覆固形物（被覆物）を掘削する掘削具も提供する。
即ち、本発明の掘削具（以下、「本掘削具」という。）は、土壌外面被覆組成物（本組成物）と水分との混合物及び該混合物から水分が蒸発し固形化した土壌外面被覆固形物の少なくとも一方を掘削する掘削具であって、少なくとも一端が開放された中空の円筒形状をした掘削本体部と、該円筒の軸方向に突出するよう、該一端の縁部に沿って形成された歯部と、を備えてなる、掘削具である。
本掘削具は掘削本体部と歯部とを備え、掘削本体部は少なくとも一端が開放（「少なくとも一端が開放」であるから、一端のみが開放されたものであってもよいが、一端と他端との両端が開放されたものであってもよい。）された中空の円筒形状をしており、そして歯部は該一端（該円筒の中空内部と外部とが連通するよう開放されている。）の縁部に沿って該円筒の軸方向に突出するよう形成されている。このため歯部が形成された該一端を該混合物又は土壌外面被覆固形物（被覆物）に当接させつつ、中空の円筒形状をした掘削本体部を該円筒の中心軸を中心に回動（回転を含む）させれば、該一端の縁部に形成された歯部も該中心軸を中心に回動（回転を含む）するので歯部が該混合物又は土壌外面被覆固形物（被覆物）を略円形状に掘削することができる。このように歯部が該混合物又は土壌外面被覆固形物（被覆物）に当接した状態で歯部が該中心軸を中心に回動（回転を含む）することによって、歯部が、天然植物繊維を含む該混合物又は土壌外面被覆固形物（被覆物）を円滑に掘削することができる。なお、このように本掘削具は、該混合物又は土壌外面被覆固形物（被覆物）を掘削するために好適に用いることができるが、これによって該混合物又は土壌外面被覆固形物（被覆物）の形状を整えたり、該混合物又は土壌外面被覆固形物（被覆物）に植物を植え付けるための植え付け穴を穿設すること等ができる。
【００２２】
本掘削具においては、前記一端からの距離を示す目盛が掘削本体部の外周面に付されているものであってもよい。
本掘削具では、歯部が形成された前記一端を該混合物又は土壌外面被覆固形物（被覆物）に当接させた状態で歯部が該中心軸を中心に回動（回転を含む）することで、歯部が該混合物又は土壌外面被覆固形物（被覆物）を掘削するが、掘削（掘進）がすすむと歯部が形成された前記一端は該混合物又は土壌外面被覆固形物（被覆物）に潜入することで見えなくなることがある。かかる場合においても、どの程度の深さまで掘削（掘進）したかが把握できるようにするため、歯部が形成された前記一端からの距離を示す目盛を掘削本体部の外周面に付すようにしてもよい。
【００２３】
また、本発明では、土壌外面被覆固形物（被覆物）に埋入され水分又は気体を土壌外面被覆固形物（被覆物）に被覆された内部の該土壌に流通させる導管部材も提供する。
即ち、本発明の導管部材（以下、「本導管部材」という。）は、土壌外面被覆組成物（本組成物）と水分との混合物から水分が蒸発し固形化した土壌外面被覆固形物（被覆物）に埋入され、水分又は気体を内部に流通させる導管部材であって、少なくとも一端が開放された中空の管形状を有すると共に、内部と外部とを連通させる連通孔が複数形成されたものである、導管部材である。
本導管部材は、少なくとも一端が開放（「少なくとも一端が開放」であるから、一端のみが開放されたものであってもよいが、一端と他端との両端が開放されたものであってもよい。）された中空の管形状を有し、（中空の管の）内部と外部とを連通させる連通孔が複数形成されているので、開放された該一端が土壌外面被覆固形物（被覆物）の外面側空間に露出すると共に内部と外部とを連通させる連通孔（の少なくとも一部）が土壌外面被覆固形物（被覆物）の内面側空間（土壌が存する）に存するよう本導管部材を土壌外面被覆固形物（被覆物）に埋入すれば、開放された該一端に水分を供給すると本導管部材の（中空の管の）内部を該水分が流通し連通孔に至りそして連通孔を経由して（中空の管の）内部から外部へと該水分が流出するので土壌外面被覆固形物（被覆物）の内面側空間（土壌が存する）に該水分を供給（流通）させることができ、そして同様に、開放された該一端に気体（例えば、空気）を供給（人為的な操作をなすことなく、該気体が自然に該一端へ流通することも含む。）すると本導管部材の（中空の管の）内部を該気体が流通し連通孔に至りそして連通孔を経由して（中空の管の）内部から外部へと該気体が流出するので土壌外面被覆固形物（被覆物）の内面側空間（土壌が存する）に該気体を供給（流通）させることができる。
【００２４】
本導管部材においては、両端が開放された中空の円筒形状を有すると共に、該両端のうち前記一端の反対である他端の縁部に沿って、該円筒の軸方向に突出するよう歯部が形成されたものであってもよい。
こうすることで本導管部材が両端が開放された中空の円筒形状を有し、前記一端（土壌外面被覆固形物（被覆物）の外面側空間に露出するように配置される。）の反対である他端（本導管部材を土壌外面被覆固形物（被覆物）に埋入する際の先端側）の縁部に沿って歯部が形成されるので、本導管部材が形成する両端が開放された中空の円筒の一端が土壌外面被覆固形物（被覆物）の外面側空間に露出するように配置されると共に、本導管部材を土壌外面被覆固形物（被覆物）に埋入する際の先端となる該中空の円筒の他端の縁部に沿って、該円筒の軸方向に突出する歯部が形成される。
このため歯部が形成された該他端を前記混合物又は土壌外面被覆固形物（被覆物）に当接させつつ、中空の円筒形状をした本導管部材を該円筒の中心軸を中心に回動（回転を含む）させれば、該他端の縁部に形成された歯部も該中心軸を中心に回動（回転を含む）するので歯部が該混合物又は土壌外面被覆固形物（被覆物）を掘削（掘進）することができ、それによって本導管部材を該混合物又は土壌外面被覆固形物（被覆物）にうまく埋入することができる（なお、本導管部材を該混合物に埋入すれば、その後、該混合物から水分が蒸発し固形化することで、該混合物により形成される土壌外面被覆固形物（被覆物）に本導管部材を埋入することができる。）。
【００２５】
そして、土壌外面被覆組成物（本組成物）、本支持部材、本掘削具及び本導管部材は、植物を栽培しようとする際に有用なものであり、その目的や状況に応じてはこれらのもののうち複数のものを用いることがあるので、本組成物、本支持部材、本掘削具及び本導管部材のものを複数組み合わせたセット（植栽セット）として販売等されれば、これらのものの使用者の便を図ることができる。
これらのものを複数組み合わせたセット（植栽セット）としては、本組成物、本支持部材、本掘削具及び本導管部材よりなる群から選ばれる２以上のものを適宜組み合わせて構成されればよいが、例えば、本組成物と本支持部材とを含むセット（植栽セット）、本組成物と本支持部材と本掘削具とを含むセット（植栽セット）、本組成物と本支持部材と本導管部材とを含むセット（植栽セット）、本組成物と本支持部材と本掘削具と本導管部材とを含むセット（植栽セット）、本支持部材と本掘削具とを含むセット（植栽セット）、本支持部材と本掘削具と本導管部材とを含むセット（植栽セット）、本支持部材と本導管部材とを含むセット（植栽セット）を例示することができる。
【００２６】
さらに、本支持部材は縦部材とそれに取り付けられる横部材とを備えてなり、これら縦部材とそれに既に取り付けられた横部材とは嵩張ることが多いので、既に組み立てられた状態（縦部材とそれに既に取り付けられた横部材とを含む。）の本支持部材は運搬や保管等に不便なことも生じうる。このため本支持部材は、既に組み立てられた状態（縦部材とそれに既に取り付けられた横部材とを含む。）での販売等ではなく、該縦部材と、該縦部材に取り付け可能な該横部材と、を含んでなる本支持部材の製作セットとして販売等されてもよい。
そして、上記の本組成物、本支持部材、本掘削具及び本導管部材よりなる群から選ばれる２以上のものを組み合わせて構成されたセット（植栽セット）についても、本支持部材に替え本支持部材の製作セット（本支持部材製作セット）を含めたセット（植栽セット）にしてもよく、例えば、本組成物と本支持部材製作セットとを含むセット（植栽セット）、本組成物と本支持部材製作セットと本掘削具とを含むセット（植栽セット）、本組成物と本支持部材製作セットと本導管部材とを含むセット（植栽セット）、本組成物と本支持部材製作セットと本掘削具と本導管部材とを含むセット（植栽セット）、本支持部材製作セットと本掘削具とを含むセット（植栽セット）、本支持部材製作セットと本掘削具と本導管部材とを含むセット（植栽セット）、本支持部材製作セットと本導管部材とを含むセット（植栽セット）の如きである。
【発明を実施するための最良の形態】
【００２７】
以下、本発明の実施の形態を図面を参照して説明する。しかしながら、これらによって本発明は何ら制限されるものではない。
【００２８】
（土壌外面被覆組成物の調製）
まず、本発明の土壌外面被覆組成物（本組成物）の調製について説明する。
本組成物の調製には、ヤシガラ繊維（天然植物繊維）、土成分、パルプ、着色成分を準備し、これらヤシガラ繊維、土成分、パルプ、着色成分を十分に混合することで本組成物を調製する。
【００２９】
本組成物を構成するヤシガラ繊維は、ブロック状に高圧縮されたヤシガラ繊維を水で戻し、水気を絞ったものを広げて乾燥させたものが好ましい。なお、ヤシガラ繊維は、通気性、保水性、吸水性に優れており、窒素（Ｎ）、リン酸（Ｐ２Ｏ５）、有機炭素（Ｃ）等を含んでいると共に土壌酸度が中性であり、植物にとっては好適である。
ここでは具体的には、ヤシガラ繊維として、株式会社大創産業社製の商品名「ＣＯＣＯ  ＰＥＡＴ  ＢＲＩＣＫ」を購入し用いた。この商品名「ＣＯＣＯ  ＰＥＡＴ  ＢＲＩＣＫ」のヤシガラ繊維は、圧縮及び乾燥されたブロック状をなしており、このヤシガラ繊維５００ｇに対して常温（約２０℃）の水（精製水）５０００ｇを容器中で加え、常温（約２０℃）下でヤシガラ繊維が水に浸かるようにして約３０分放置し、ヤシガラ繊維に水分を吸収させた（ヤシガラ繊維を水で戻した）。
その後、水分を吸収したヤシガラ繊維を該容器から取り出し、ヤシガラ繊維から軽く水分を絞り、ヤシガラ繊維を新聞紙の上に広げて乾燥した雰囲気の室内（４５ｃｍ×９０ｃｍ×１８０ｃｍの略直方体形状の密閉されたビニールハウスに、１８畳用の家庭用大型除湿器を取り付け最大能力にて常時運転している。）で常温（約２０℃）にて約１０日間乾燥させた。この風乾したヤシガラ繊維は、外観からは完全に乾燥した状態であった。
【００３０】
土成分は、パーライト、クンタン、腐葉土、ピートモス及びバーミキュライトの５種類を用いた。
具体的には、パーライトとしては宇部興産社製の商品名「パーライト」（４０リットル）を購入し用い、クンタンとしては山華株式会社（藤田商店）製の商品名「くん炭」（１２リットル）を購入し用い、腐葉土としては株式会社Ｇ．ｉ．社製の商品名「腐葉土」（２０リットル）を購入し用い、ピートモスとしては株式会社Ｇ．ｉ．社製の商品名「ピートモス」（２０リットル）を購入し用い、そしてバーミキュライトとしては株式会社レジャーライフ社製の商品名「バーミキュライト」（４０リットル）を購入し用いた。
【００３１】
パルプは、牛乳パックを原料とした牛乳パック再生パルプを用い、具体的には、新日本造形株式会社製の商品名「牛乳パック再生パルプ」を購入し用いた。
なお、ここでは古紙パルプとして牛乳パック再生パルプを用いたが、これ以外のパルプを用いることもでき、例えば、ダンボール再生パルプを用いたり（牛乳パック再生パルプに比して１．１５〜１．２倍程度のダンボール再生パルプを本組成物に配合することで、本組成物により形成される被覆物（土壌外面被覆固形物）の強度を牛乳パック再生パルプを用いた場合と略同等にすることができる。）、新聞の再生パルプを用いてもよい（牛乳パック再生パルプに比して１．３〜１．５倍程度の新聞の再生パルプを本組成物に配合することで、本組成物により形成される被覆物（土壌外面被覆固形物）の強度を牛乳パック再生パルプを用いた場合と略同等にすることができる。）。
【００３２】
着色成分は、ここではけと土（あかぎ園芸株式会社製の商品名「けと土」）や荒木田土（あかぎ園芸株式会社製の商品名「荒木田土」）を用いる。このような着色成分は、本組成物により形成される被覆物（土壌外面被覆固形物）に水やりや雨水等によって水分がかかっても被覆物（土壌外面被覆固形物）からあまり溶け出さず、周囲を汚さないものであり、本組成物により形成される被覆物（土壌外面被覆固形物）の色合いを調節するため適宜使用できる。
なお、着色成分としてここではけと土や荒木田土を使用したがこれに制限されるものではなく、本組成物により形成される被覆物（土壌外面被覆固形物）に水分がかかってもあまり溶け出さず周囲を汚さないものであれば、種々のものを用いることができる。また、着色成分は、本組成物に配合される必要は必ずしもなく、また、形成された被覆物（土壌外面被覆固形物）に、着色成分を水に溶いたものを塗着（例えば、刷毛等で塗りつける）したり吹き付けるようにしてもよい。
【００３３】
以上説明したヤシガラ繊維と土成分とパルプと着色成分とを容器に投入し充分混合して土壌外面被覆組成物とする。
【００３４】
（第１実施形態の支持部材）
図１は、第１実施形態の支持部材１０１（以下、「第１支持部材」という。）を示す斜視図であり、図２は第１支持部材１０１の左側面図（図１中、矢印Ａ方向から見たところを示している。）であり、図３は第１支持部材１０１の平面図（図２中、矢印Ｂ方向から見たところを示している。）であり、そして図４は第１支持部材１０１の分解図である。図１乃至図４を参照して、第１支持部材１０１について説明する。
第１支持部材１０１は、大まかには、背面板１１１と、背面板１１１の前面１１３ａに取りつけられた半筒部材１２１と、半筒部材１２１の長手方向Ｌに沿って半筒部材１２１の尾根部分に接着された補助支持部材１３１と、補助支持部材１３１と背面板１１１とに支持された横部材１４１と、を備えてなる。
【００３５】
背面板１１１は、前面１１３ａと背面１１３ｂとを有するやや厚みが大きな板状の部材によって構成されており、下端１１１ｂは真っ直ぐな線分に沿った縁部（平面に該線分に沿って略接することができる。）を形成しており、やや尖った形状の上端１１１ａは、該線分の中点を通過し該線分に略垂直な平面上に略存し、上端１１１ａと下端１１１ｂの両端とは外に凸の滑らかな曲線に沿って結ばれている。
背面板１１１の前面１１３ａには、半筒部材１２１を取りつけるための取付部１１５が形成されている。具体的には、半筒部材１２１の長手方向Ｌの一端（ここでは上端）から突出する一対の嵌入取付棒１２３ａ（特に、図４参照）を嵌入する一対の嵌入孔（図示せず）を有する上端取付部１１５ａと、半筒部材１２１の長手方向Ｌの他端（ここでは下端）から突出する一対の嵌入取付棒１２３ｂ（特に、図４参照）を嵌入する一対の嵌入孔１１５ｂｈを有する下端取付部１１５ｂと、半筒部材１２１の長手方向Ｌに沿った一対の長手縁部１２５ａ、１２５ｂに当接する当接部１１５ｃと、を有して取付部１１５は構成されている。
そして、背面板１１１の前面１１３ａには、横部材１４１の下面を下側から支持する一対の支持突起１１７ａ、１１７ｂが形成されている。
【００３６】
半筒部材１２１は、長手方向Ｌに平行な線分を軸とする両端が開放された中空の直円柱形状を、該軸を含む平面によって切断して形成される２の部分のうちの一方に沿った樋状の形状を有している。前述の如く、半筒部材１２１は、長手方向Ｌの一端から突出する一対の嵌入取付棒１２３ａが上端取付部１１５ａに取りつけられ、長手方向Ｌの他端から突出する一対の嵌入取付棒１２３ｂが下端取付部１１５ｂに取りつけられ、そして長手方向Ｌに沿った一対の長手縁部１２５ａ、１２５ｂが当接部１１５ｃに当接することで、半筒部材１２１は背面板１１１の取付部１１５に取りつけられている。なお、半筒部材１２１は柔軟な樹脂材料により一体に形成されているので、一対の嵌入取付棒１２３ｂを一対の嵌入孔１１５ｂｈに嵌入した後、半筒部材１２１をやや歪めるようにして一対の嵌入取付棒１２３ａを上端取付部１１５ａの一対の嵌入孔（図示せず）に嵌入することができる。
半筒部材１２１は、長手方向Ｌに沿った方向とそれに垂直な方向との両方向に等間隔に連通孔１２７（略正方形状）が複数形成されている。
【００３７】
補助支持部材１３１は、両主表面を有する板状部材により形成されており、下端１３１ｂは真っ直ぐな線分に沿った縁部（平面に該線分に沿って略接することができる。）を形成しており、下端１３１ｂと背面板１１１の下端１１１ｂとは同一の平面に接することができるように形成されている。そして、補助支持部材１３１は、下端１３１ｂに対して略垂直な線分に沿ってのびるように形成された接着縁部１３３を有しており、接着縁部１３３は半筒部材１２１の長手方向Ｌに沿って半筒部材１２１の尾根部分（長手縁部１２５ａ、１２５ｂの中心部分）に接着されている。
補助支持部材１３１は、下端１３１ｂに対して略４５度をなすように嵌入溝１３５が形成されている（特に、図４参照）。嵌入溝１３５は、後述するように、横部材１４１を嵌入することで、補助支持部材１３１が横部材１４１を支持するためのものである。
【００３８】
横部材１４１は、所謂ハート形に似た形状の主表面を有する板状の部材によって形成されている。該ハート形は、先端１４３と両基端１４５ａ、１４５ｂとを有しており、これら両基端１４５ａ、１４５ｂの間（ハート形の陥没部分）には嵌入溝１４７が形成されている（特に、図４参照）。嵌入溝１４７は、補助支持部材１３１の嵌入溝１３５の底部１３５ｂ（特に、図４参照）と接着縁部１３３との間の部分を嵌入することで、補助支持部材１３１に横部材１４１を支持させるものである。なお、嵌入溝１４７が嵌入溝１３５の底部１３５ｂと接着縁部１３３との間の部分を嵌入すると、嵌入溝１３５は嵌入溝１４７の底部１４７ｂ（特に、図４参照）と先端１４３との間の部分を嵌入することによっても、補助支持部材１３１に横部材１４１が支持される。
横部材１４１には、上面１４１ａと下面１４１ｂとを連絡する複数の開口１４９（略正方形状）が互いに直交する両方向（上面１４１ａ及び下面１４１ｂに沿った両方向）に等間隔に形成されている。
【００３９】
第１支持部材１０１を組み立てるには、半筒部材１２１の一対の長手縁部１２５ａ、１２５ｂが当接部１１５ｃに当接するよう、一対の嵌入取付棒１２３ａを上端取付部１１５ａに取りつけ、一対の嵌入取付棒１２３ｂを下端取付部１１５ｂに取りつけることで半筒部材１２１を背面板１１１の取付部１１５に取りつける。
そして、補助支持部材１３１の接着縁部１３３を半筒部材１２１の尾根部分に接着する。
最後に、横部材１４１の嵌入溝１４７と、補助支持部材１３１の嵌入溝１３５と、を互いに嵌合させ、嵌入溝１４７が補助支持部材１３１の嵌入溝１３５の底部１３５ｂと接着縁部１３３との間の部分を嵌入すると共に、嵌入溝１３５が嵌入溝１４７の底部１４７ｂと先端１４３との間の部分を嵌入することにより（嵌入溝１３５の底部１３５ｂと嵌入溝１４７の底部１４７ｂとが合わさるような状態にする。）、補助支持部材１３１に横部材１４１を支持させる。なお、このとき背面板１１１の一対の支持突起１１７ａ、１１７ｂによって、横部材１４１の基端１４５ａ、１４５ｂ近傍の下面１４１ｂが支持（担持）されるようにする。
以上のようにして、第１支持部材１０１が完成される。
【００４０】
（第２実施形態の支持部材）
図５は、第２実施形態の支持部材２０１（以下、「第２支持部材」という。）を示す斜視図であり、図６は図５のＥ−Ｅ断面図であり、図７は第２支持部材２０１の分解図であり、図８は第２支持部材２０１を組み立てる第１ステップを示す図であり、そして図９は後述の脚板２１１、２１３を示す図である。図５乃至図９を参照して、第２支持部材２０１について説明する。
第２支持部材２０１は、大まかには、一対の脚板２１１、２１３と、組み付けられた脚板２１１、２１３に取りつけられた筒部材２２１と、脚板２１１、２１３に支持された横部材２４１と、を備えてなる。
【００４１】
脚板２１１、２１３はいずれも板状の部材により形成されており、脚板２１１と脚板２１３とは後述の嵌合溝２１１ｋ、２１３ｋの位置が異なるのみで、それ以外は形状及び寸法のいずれも同じである。
以下、図９を主として参照しつつ、脚板２１１、２１３について詳しく説明する。
脚板２１１は、仮想上の直線Ｐに線対称の形状を略有する主表面２１１ａ（主表面２１１ａの裏面側の主表面も主表面２１１ａと同じ形状を有している。）を有する薄板状の部材により形成されており、直線Ｐに対して垂直な線分に略沿った下縁２１１ｂを有する下縁部分２１２ａと、下縁部分２１２ａから上方に向かってのびるように形成された一対の脚部２１２ｃ１、２１２ｃ２と、脚部２１２ｃ１、２１２ｃ２の上端に形成された横部材支持部２１２ｆ１、２１２ｆ２と、を有してなる。下縁部分２１２ａの上縁２１１ｃ（直線Ｐに対して略垂直）には、直線Ｐに沿って幅Ｗ１にて嵌合溝２１１ｋが形成されている。横部材支持部２１２ｆ１は上方突出部材２１２ｅ１と側方突出部材２１２ｄ１とを含んでなり、そして横部材支持部２１２ｆ２は上方突出部材２１２ｅ２と側方突出部材２１２ｄ２とを含んでなる。脚部２１２ｃ１の内縁と上方突出部材２１２ｅ１の内縁とによって形成される内縁部２１１ｍ１は直線Ｐに対して略平行に形成されると共に、脚部２１２ｃ２の内縁と上方突出部材２１２ｅ２の内縁とによって形成される内縁部２１１ｍ２は直線Ｐに対して略平行に形成されている（なお、内縁部２１１ｍ１と内縁部２１１ｍ２との間は距離Ｙ１となっている。）。また、上方突出部材２１２ｅ１の外縁２１２ｅ１ａは直線Ｐに対して略平行な線分に沿って形成され、側方突出部材２１２ｄ１の内縁２１２ｄ１ａは直線Ｐに対して角度約４５度をなす線分に沿って形成され、外縁２１２ｅ１ａと内縁２１２ｄ１ａとがなす角度Ｑ１は約４５度である。そして、上方突出部材２１２ｅ２の外縁２１２ｅ２ａは直線Ｐに対して略平行な線分に沿って形成され、側方突出部材２１２ｄ２の内縁２１２ｄ２ａは直線Ｐに対して角度約４５度をなす線分に沿って形成され、外縁２１２ｅ２ａと内縁２１２ｄ２ａとがなす角度Ｑ２は約４５度である。
脚板２１３は、仮想上の直線Ｐに線対称の形状を略有する主表面２１３ａ（主表面２１３ａの裏面側の主表面も主表面２１３ａと同じ形状を有している。）を有する薄板状の部材により形成されており、直線Ｐに対して垂直な線分に略沿った下縁２１３ｂを有する下縁部分２１４ａと、下縁部分２１４ａから上方に向かってのびるように形成された一対の脚部２１４ｃ１、２１４ｃ２と、脚部２１４ｃ１、２１４ｃ２の上端に形成された横部材支持部２１４ｆ１、２１４ｆ２と、を有してなる。下縁部分２１２ａの下縁２１３ｂには、直線Ｐに沿って幅Ｗ２にて嵌合溝２１３ｋが形成されている。なお、嵌合溝２１１ｋの幅Ｗ１と嵌合溝２１３ｋのＷ２とはここでは同じ（Ｗ１＝Ｗ２）にされており、具体的には、Ｗ１とＷ２とのいずれも脚板２１１、２１３を構成する板状部材の厚みｔよりもやや大きくされている。横部材支持部２１４ｆ１は上方突出部材２１４ｅ１と側方突出部材２１４ｄ１とを含んでなり、そして横部材支持部２１４ｆ２は上方突出部材２１４ｅ２と側方突出部材２１４ｄ２とを含んでなる。脚部２１４ｃ１の内縁と上方突出部材２１４ｅ１の内縁とによって形成される内縁部２１３ｍ１は直線Ｐに対して略平行に形成されると共に、脚部２１４ｃ２の内縁と上方突出部材２１４ｅ２の内縁とによって形成される内縁部２１３ｍ２は直線Ｐに対して略平行に形成されている。内縁部２１３ｍ１と内縁部２１３ｍ２との間の距離Ｙ２は、上記のＹ１と同じにされている。また、上方突出部材２１４ｅ１の外縁２１４ｅ１ａは直線Ｐに対して略平行な線分に沿って形成され、側方突出部材２１４ｄ１の内縁２１４ｄ１ａは直線Ｐに対して角度約４５度をなす線分に沿って形成され、外縁２１４ｅ１ａと内縁２１４ｄ１ａとがなす角度Ｑ３は約４５度である。そして、上方突出部材２１４ｅ２の外縁２１４ｅ２ａは直線Ｐに対して略平行な線分に沿って形成され、側方突出部材２１４ｄ２の内縁２１４ｄ２ａは直線Ｐに対して角度約４５度をなす線分に沿って形成され、外縁２１４ｅ２ａと内縁２１４ｄ２ａとがなす角度Ｑ４は約４５度である。
【００４２】
筒部材２２１は、両端が開放された中空の円筒形状をしており、その長手方向Ｌ３（図７及び図８を参照）に沿った方向と、該円筒の周方向に沿った方向と、の両方向に規則的に連通孔２２２が形成されている。
そして、筒部材２２１が形成する該円筒の一端側には、該円筒の周方向に等間隔に４個所のスリット２２３（特に図８）が形成されている（該円筒の中心軸の周りの角度９０度毎に形成されている。）。４個所のスリット２２３はいずれも同じ形状に切りかかれて形成されており、その幅（該円筒の周方向に沿った寸法）は脚板２１１、２１３を構成する板状部材の厚みｔよりもやや大きくされると共に、スリット２２３の長さ（長手方向Ｌ３方向の寸法）は下縁部分２１２ａの高さＺ１と下縁部分２１４ａの高さＺ２とほぼ同じにされている。
【００４３】
横部材２４１は、球の中心を通過する平面である通過平面によって２分される空間のうち一方側の空間に存し通過平面に平行な２の平面（無論、該２の平面同士も平行であり、換言すれば該２の平面と通過平面との３の平面が互いに平行である。）によって該球に係る球面を切断した際に該２の平面の間に形成される球帯に沿った形状を有している。
横部材２４１の中心部分には、筒部材２２１の他端側（４個所のスリット２２３が形成された前記一端側とは反対の端側）を貫通させる筒部材貫通孔２４３が形成されている（特に図７及び図８。）。なお、筒部材貫通孔２４３は、前記球面を切断した際に該２の平面の間に形成される球帯に似た形状の横部材２４１において、前記球面から該球帯を除いた球冠の部分に沿って形成されている。
そして、筒部材貫通孔２４３から放射状かつ等間隔に４の切り欠き状のスリット２４５が形成されているが（特に図７及び図８。）、これら４のスリット２４５は、上方突出部材２１２ｅ１、２１２ｅ２、２１４ｅ１、２１４ｅ２が嵌入されるものである。
さらに、横部材２４１の上面２４２ａと下面２４２ｂとを連通させるように、複数の開口２４７が穿設されている。
かかる横部材２４１は、ある程度の柔軟性を有する樹脂材料により形成されており、下面２４２ｂは、内縁２１２ｄ１ａ、２１２ｄ２ａ、２１４ｄ１ａ、２１４ｄ２ａにより支持される。
なお、横部材２４１は、ここでは上述のように球帯に沿った形状を有しているが、これに限定されるものではなく、例えば、直円錐台の側面に沿った形状等にされてもよい。
【００４４】
第２支持部材２０１を組み立てるには、第１に、脚板２１１、２１３を、図７に示す状態から図８に示す状態のように組み付ける。これは上述の嵌合溝２１１ｋに下縁部分２１４ａを嵌入すると共に、嵌合溝２１３ｋに下縁部分２１２ａを嵌入することにより脚板２１１、２１３互いを図８に示すように組み付ける。
第２に、図８のように互いに組み付けられた脚板２１１、２１３に、筒部材２２１を組み付ける。具体的には、筒部材２２１の前記一端側（スリット２２３が形成された前記一端側）を先頭にして筒部材２２１を、組み付けられた脚板２１１、２１３に図８中の矢印Ｇ方向に向けて挿入する。そして、４個所のスリット２２３に下縁部分２１２ａ、２１４ａを嵌入することで、脚板２１１、２１３に筒部材２２１を組み付ける。
第３に、脚板２１１、２１３に筒部材２２１が組み付けられたものに、横部材２４１を組み付ける。具体的には、筒部材２２１の他端側（４個所のスリット２２３が形成された前記一端側とは反対の端側）を筒部材貫通孔２４３に貫通させると共に、４のスリット２４５各々に上方突出部材２１２ｅ１、２１２ｅ２、２１４ｅ１、２１４ｅ２を嵌入し、下面２４２ｂを内縁２１２ｄ１ａ、２１２ｄ２ａ、２１４ｄ１ａ、２１４ｄ２ａに当接させ支持される。
以上のようにして、図５及び図６に示すような第２支持部材２０１が完成される。
【００４５】
（第３実施形態の支持部材）
図１０は、第３実施形態の支持部材３０１（以下、「第３支持部材」という。）を示す正面図であり、図１１は第３支持部材３０１の平面図（図１０中、矢印Ｊ方向から見たところを示している。）であり、図１２は脚板３１１を示す図（脚板３１１の主表面側から見たところを示すものであり、見る方向は図１０に同じである。）であり、図１３は脚板３１３を示す図（脚板３１３の主表面側から見たところを示すものであり、見る方向を図１０に矢印Ｋにて示す。）であり、図１４は横部材３２１（第３支持部材３０１には横部材３２１ａ、３２１ｂの２枚が用いられているが、これら２枚の横部材３２１ａ、３２１ｂのいずれも同じものを用いているので、以下の説明では横部材３２１として説明することもある。）を示す図（横部材３２１の主表面側から見たところを示すものであり、見る方向を図１０に矢印Ｍにて示す。）であり、そして図１５は横部材３２３（第３支持部材３０１には横部材３２３ａ、３２３ｂの２枚が用いられているが、これら２枚の横部材３２３ａ、３２３ｂのいずれも同じものを用いているので、以下の説明では横部材３２３として説明することもある。）を示す図（横部材３２３の主表面側から見たところを示すものであり、見る方向を図１０に矢印Ｎにて示す。）である。図１０及び図１５を参照して、第３支持部材３０１について説明する。
第３支持部材３０１は、大まかには、一対の脚板３１１、３１３（両脚板３１１、３１３の主表面が略直交するように両脚板３１１、３１３は組み付けられている。特に図１１参照。）と、組み付けられた脚板３１１、３１３に取りつけられた横部材３２１（３２１ａ、３２１ｂ）と、組み付けられた脚板３１１、３１３に取りつけられた横部材３２３（３２３ａ、３２３ｂ）と、組み付けられた脚板３１１の主表面と脚板３１３の主表面とによって形成される角部（４個所）に沿って配設される筒部材３４１（第３支持部材３０１には筒部材３４１ａ、３４１ｂ、３４１ｃ、３４１ｄの４本が配設されているが、これら筒部材３４１ａ、３４１ｂ、３４１ｃ、３４１ｄのいずれも同じものを用いているので、以下の説明では筒部材３４１として説明することもある。）と、を備えてなる。
【００４６】
脚板３１１、３１３は、上述の第２実施形態の支持部材に含まれる脚板２１１、２１３と同様、いずれも板状の部材により形成されており、嵌合溝３１２、３１４が互いに嵌合することで組み付けられる（特に、図１２及び図１３）。
脚板３１１は、仮想上の直線Ｓ１に線対称の形状を略有する主表面３１１ｐを表裏に有する薄板状の部材（即ち、脚板３１１の表裏の両主表面３１１ｐとも同じ形状を有する。）により形成されており、直線Ｓ１に対して垂直な線分に略沿った下縁３１１ｄを有すると共に、横部材嵌入溝３１１ｆ１ａ、３１１ｆ１ｂ、３１１ｆ３ａ、３１１ｆ３ｂと、直線Ｓ１に沿って上縁から下方に向けて嵌合溝３１２（嵌合溝３１２の幅３１２ｗは脚板３１３の厚みよりもやや大きくされており、嵌合溝３１２に脚板３１３が嵌入可能にされている。）と、が形成されている。横部材嵌入溝３１１ｆ１ａ、３１１ｆ１ｂ、３１１ｆ３ａ、３１１ｆ３ｂのいずれも、直線Ｓ１に対する角度Ａｆが約４５度である仮想上の直線Ｓｆに沿って形成されており、横部材嵌入溝３１１ｆ１ａ、３１１ｆ１ｂ、３１１ｆ３ａ、３１１ｆ３ｂの幅Ｗｆは、横部材嵌入溝３１１ｆ１ａ、３１１ｆ１ｂ、３１１ｆ３ａ、３１１ｆ３ｂが嵌入する横部材３２１（３２１ａ、３２１ｂ）、３２３（３２３ａ、３２３ｂ）の厚みよりもやや大きくされており、これら横部材嵌入溝３１１ｆ１ａ、３１１ｆ１ｂ、３１１ｆ３ａ、３１１ｆ３ｂに横部材３２１（３２１ａ、３２１ｂ）、３２３（３２３ａ、３２３ｂ）が嵌入可能にされている（以上は特に図１２を参照されたい）。
脚板３１３は、図１３に示すように、仮想上の直線Ｓ２に線対称の形状を略有する主表面３１３ｐを表裏に有する薄板状の部材（即ち、脚板３１３の表裏の両主表面３１３ｐとも同じ形状を有する。）により形成されており、直線Ｓ２に対して垂直な線分に略沿った下縁３１３ｄを有すると共に、直線Ｓ２に沿って下縁３１３ｄから上方に向けて嵌合溝３１４（嵌合溝３１４の幅３１４ｗは脚板３１１の厚みよりもやや大きくされており、嵌合溝３１４に脚板３１１が嵌入可能にされている。）が形成されている。
そして、脚板３１１の嵌合溝３１２と脚板３１３の嵌合溝３１４とを嵌合させ、脚板３１１、３１３が互いに組み付けられると、図１０及び図１１のように、下縁３１１ｄと下縁３１３ｄとが同一平面（直線Ｓ１及び直線Ｓ２に対して垂直な平面）に当接すると共に、脚板３１１の主表面３１１ｐと脚板３１３の主表面３１３ｐとが略直交する。
【００４７】
横部材３２１は、第３支持部材３０１においては２枚の同一の横部材３２１ａ、３２１ｂ（横部材３２１ａ、３２１ｂのいずれも同じものを用いている。）が用いられており、図１４に示すように、いずれも板状の部材により形成されている。具体的には、仮想上の直線Ｓ３に線対称の形状を略有する主表面３２２を表裏に有する薄板状の部材（即ち、横部材３２１の表裏の両主表面３２２とも同じ形状を有する。）により形成されており、直線Ｓ３に対して垂直な線分Ｓ４に略沿った一対の線分縁３２１ｄ１、３２１ｄ２と、直線Ｓ３と線分Ｓ４との交点から離れた直線Ｓ３上の点に略存する先端部３２１ｅと、先端部３２１ｅと線分縁３２１ｄ１の外端とを結ぶ外に凸の滑らかな曲線である第１外縁３２１ｆ１と、先端部３２１ｅと線分縁３２１ｄ２の外端とを結ぶ外に凸の滑らかな曲線である第２外縁３２１ｆ２と、直線Ｓ３と線分Ｓ４との交点側から先端部３２１ｅに向かって（外方向に向かって）直線Ｓ３に沿って形成された嵌合溝３２１ｎと、嵌合溝３２１ｎと線分縁３２１ｄ１の内端とを結ぶ外に凸の滑らかな曲線である第１内縁３２１ｇ１と、嵌合溝３２１ｎと線分縁３２１ｄ２の内端とを結ぶ外に凸の滑らかな曲線である第２内縁３２１ｇ２と、を有して主表面３２２は形成されている。なお、嵌合溝３２１ｎの幅Ｗｎは脚板３１１の厚みよりもやや大きくされており、嵌合溝３２１ｎに脚板３１１が嵌入可能にされている。そして、横部材３２１の両主表面３２２（表裏）を連絡する複数の開口３２１ｈが穿設されている。
【００４８】
横部材３２３は、第３支持部材３０１においては２枚の同一の横部材３２３ａ、３２３ｂ（横部材３２３ａ、３２３ｂのいずれも同じものを用いている。）が用いられており、図１５に示すように、いずれも板状の部材により形成されている。具体的には、仮想上の直線Ｓ３に線対称の形状を略有する主表面３２４を表裏に有する薄板状の部材（即ち、横部材３２３の表裏の両主表面３２４とも同じ形状を有する。）により形成されており、直線Ｓ３に対して垂直な線分Ｓ４に略沿った一対の線分縁３２３ｄ１、３２３ｄ２と、直線Ｓ３と線分Ｓ４との交点から離れた直線Ｓ３上の点に略存する先端部３２３ｅと、先端部３２３ｅと線分縁３２３ｄ１の外端とを結ぶ外に凸の滑らかな曲線である第１外縁３２３ｆ１と、先端部３２３ｅと線分縁３２３ｄ２の外端とを結ぶ外に凸の滑らかな曲線である第２外縁３２３ｆ２と、直線Ｓ３と線分Ｓ４との交点側から先端部３２３ｅに向かって（外方向に向かって）直線Ｓ３に沿って形成された嵌合溝３２３ｎと、嵌合溝３２３ｎと線分縁３２３ｄ１の内端とを結ぶ外に凸の滑らかな曲線である第１内縁３２３ｇ１と、嵌合溝３２３ｎと線分縁３２３ｄ２の内端とを結ぶ外に凸の滑らかな曲線である第２内縁３２３ｇ２と、を有して主表面３２４は形成されている。なお、嵌合溝３２３ｎの幅Ｗｎは脚板３１１の厚みよりもやや大きくされており、嵌合溝３２３ｎに脚板３１１が嵌入可能にされている。そして、横部材３２３の両主表面３２４（表裏）を連絡する複数の開口３２３ｈが穿設されている。
【００４９】
筒部材３４１は、第３支持部材３０１において筒部材３４１ａ、３４１ｂ、３４１ｃ、３４１ｄの４本が配設されているが、これら筒部材３４１ａ、３４１ｂ、３４１ｃ、３４１ｄのいずれも同じものを用いている。筒部材３４１は、ここではゴルフクラブをキャディーバッグに挿入する際、ゴルフクラブのシャフト同士が衝突し傷つくことを防止するためにキャディーバッグに挿入される中空の筒形状（該筒の中空内部にゴルフクラブのシャフトを挿入することで、シャフト同士がキャディーバッグ内で直接ぶつかったり擦れ合うことを防ぐ合成樹脂製の網目（メッシュ）状の筒部材である。）をした市販のプロテクター（具体的には、ライト株式会社製の商品名「クラブプロテクター  ネトロン」を用いている。）を用いており、この市販のプロテクターを長手方向に適宜の長さに切断して形成している。
このように筒部材３４１は、筒の内部空間と外部空間とを連通させる多数の連通孔を有する網目（メッシュ）状の筒部材である。
【００５０】
第３支持部材３０１を組み立てるには、第１に、図１０及び図１１に示すように嵌合溝３１２、３１４を互いに嵌合させることで脚板３１１、３１３を組み付ける。
第２に、第１にて組み付けられた脚板３１１、３１３の横部材嵌入溝３１１ｆ１ａ、３１１ｆ１ｂに嵌合溝３２１ｎを嵌入することで横部材３２１（３２１ａ、３２１ｂ）を取りつける。このとき線分縁３２１ｄ１、３２１ｄ２が脚板３１３の主表面３１３ｐに当接することで（特に、図１０参照）、組み付けられた脚板３１１、３１３に横部材３２１（３２１ａ、３２１ｂ）が確実に取りつけられる。
第３に、第１にて組み付けられた脚板３１１、３１３の横部材嵌入溝３１１ｆ３ａ、３１１ｆ３ｂに嵌合溝３２３ｎを嵌入することで横部材３２３（３２３ａ、３２３ｂ）を取りつける。このとき線分縁３２３ｄ１、３２３ｄ２が脚板３１３の主表面３１３ｐに当接することで（特に、図１０参照）、組み付けられた脚板３１１、３１３に横部材３２３（３２３ａ、３２３ｂ）が確実に取りつけられる。なお、ここでは組み付けられた脚板３１１、３１３に横部材３２３（３２３ａ、３２３ｂ）よりも横部材３２１（３２１ａ、３２１ｂ）を先に取りつけるよう説明したが、この逆にしてもよい。
第４に、横部材３２１（３２１ａ、３２１ｂ）及び横部材３２３（３２３ａ、３２３ｂ）が取りつけられた脚板３１１、３１３に、筒部材３４１（３４１ａ、３４１ｂ、３４１ｃ、３４１ｄ）を取りつける。具体的には、脚板３１１の主表面３１１ｐと脚板３１３の主表面３１３ｐとが略直交するので、これら主表面３１１ｐと主表面３１３ｐとの間に角部（４個所）が生じ、これらの角部に沿って各筒部材３４１が配設される。筒部材３４１は、外面が主表面３１１ｐと主表面３１３ｐと横部材の内縁（第１内縁３２１ｇ１、第２内縁３２１ｇ２、第１内縁３２３ｇ１、第２内縁３２３ｇ２）とに当接されることで、脚板３１１、脚板３１３及び横部材３２１（３２１ａ、３２１ｂ）、３２３（３２３ａ、３２３ｂ）により保持される。
以上のようにして、第３支持部材３０１が完成される。
【００５１】
（本掘削具）
図１６は、本掘削具４０１を示す図（具体的には、図１６（ａ）は本掘削具４０１の側面図であり、図１６（ｂ）は本掘削具４０１の正面図（図１６（ａ）中、矢印Ｈ方向から見たところを示している。）である。）である。図１６を参照して、本掘削具４０１について説明する。なお、図示及び理解を容易にするため、図１６（ａ）では、後述する第１線材４１１及び第２線材４２１のいずれも線にて示しており、図１６（ｂ）では、第１線材４１１及び第２線材４２１のそれぞれの図示を省略している。
本掘削具４０１は、上述した第３支持部材３０１の筒部材３４１（筒部材３４１ａ、３４１ｂ、３４１ｃ、３４１ｄ）と同様、ここではゴルフクラブをキャディーバッグに挿入する際、ゴルフクラブのシャフト同士が衝突し傷つくことを防止するためにキャディーバッグに挿入される中空の筒形状（該筒の中空内部にゴルフクラブのシャフトを挿入することで、シャフト同士がキャディーバッグ内で直接ぶつかったり擦れ合うことを防ぐ合成樹脂製の網目（メッシュ）状の筒部材である。）をした市販のプロテクター（具体的には、ライト株式会社製の商品名「クラブプロテクター  ネトロン」を用いている。）を用い、この市販のプロテクターを長手方向に適宜の長さに切断して形成している。
【００５２】
本掘削具４０１は、本掘削具４０１が形成する筒の外周面に沿って２つの方向（図１６（ａ）中、矢印Ｊ１方向と矢印Ｊ２方向）にのびるように配設された線材が互いに融着されて形成されている。具体的には、該２つの方向の一方（図１６（ａ）中、矢印Ｊ１方向）に沿って互いに略平行に配設された複数の第１線材４１１と、該２つの方向の他方（図１６（ａ）中、矢印Ｊ２方向）に沿って互いに略平行に配設された複数の第２線材４２１と、が交点にて互いに融着されることで多数の連通孔４３１（第１線材４１１同士の間に形成される隙間と、第２線材４２１同士の間に形成される隙間と、が重なった部分に連通孔４３１が形成される。）を有する網目（メッシュ）状の筒部材を形成している。
本掘削具４０１は、本掘削具４０１が形成する筒の軸方向（図１６（ａ）中、矢印Ｊ３方向）に突出する歯部が形成された一端４５１と、該軸方向（図１６（ａ）中、矢印Ｊ３方向）に対して略垂直な平面に沿って切断された他端４６１と、を有する掘削本体部４４１を備えてなるが、ここに一端４５１に形成された該歯部は、山部４５１ａと谷部４５１ｂとが交互に連続した複数の三角形状に一端４５１の縁部に沿って形成されている（複数の山部４５１ａはいずれも該軸方向（図１６（ａ）中、矢印Ｊ３方向）に対して略垂直な一平面上に存するよう形成されると共に、複数の谷部４５１ｂはいずれも該軸方向（図１６（ａ）中、矢印Ｊ３方向）に対して略垂直な一平面上に存するよう形成されている。）。
【００５３】
また、掘削本体部４４１の外周面には、一端（山部４５１ａ）からの距離を示す目盛４７１ａ、４７１ｂ、４７１ｃが該外周面を巡るように帯状に付されている。なお、目盛４７１ａ、４７１ｂ、４７１ｃのいずれも、第１線材４１１及び第２線材４２１に塗布された色彩（目盛４７１ａ、４７１ｂ、４７１ｃ以外の部分とは色彩を異ならせている。例えば、目盛４７１ａ、４７１ｂ、４７１ｃ以外の部分とは色彩が異なる塗料を塗布してもよい。）により目盛４７１ａ、４７１ｂ、４７１ｃを目視可能にしている。また、該一端（山部４５１ａ）から目盛４７１ａまでの距離４８１ａと、目盛４７１ａから目盛４７１ｂまでの距離４８１ｂと、目盛４７１ｂから目盛４７１ｃまでの距離４８１ｃと、はいずれもほぼ同じ５ｃｍにされており、図示しないが「目盛り間は５ｃｍ」との表示が掘削本体部４４１の外周面に印刷されている。
【００５４】
（本導管部材）
図１７は、本導管部材５０１を示す図（具体的には、図１７（ａ）は本導管部材５０１の側面図であり、図１７（ｂ）は本導管部材５０１の正面図（図１７（ａ）中、矢印Ｈ方向から見たところを示している。）である。）である。図１７を参照して、本導管部材５０１について説明する。なお、図示及び理解を容易にするため、図１７（ａ）では、後述する第１線材５１１及び第２線材５２１のいずれも線にて示しており、図１７（ｂ）では、第１線材５１１及び第２線材５２１のそれぞれの図示を省略している。
本導管部材５０１は、上述した第３支持部材３０１の筒部材３４１（筒部材３４１ａ、３４１ｂ、３４１ｃ、３４１ｄ）と同様、ここではゴルフクラブをキャディーバッグに挿入する際、ゴルフクラブのシャフト同士が衝突し傷つくことを防止するためにキャディーバッグに挿入される中空の筒形状（該筒の中空内部にゴルフクラブのシャフトを挿入することで、シャフト同士がキャディーバッグ内で直接ぶつかったり擦れ合うことを防ぐ合成樹脂製の網目（メッシュ）状の筒部材である。）をした市販のプロテクター（具体的には、ライト株式会社製の商品名「クラブプロテクター  ネトロン」を用いている。）を用い、この市販のプロテクターを長手方向に適宜の長さに切断して形成している。
【００５５】
本導管部材５０１は、本導管部材５０１が形成する筒の外周面に沿って２つの方向（図１７（ａ）中、矢印Ｊ１方向と矢印Ｊ２方向）にのびるように配設された線材が互いに融着されて形成されている。具体的には、該２つの方向の一方（図１７（ａ）中、矢印Ｊ１方向）に沿って互いに略平行に配設された複数の第１線材５１１と、該２つの方向の他方（図１７（ａ）中、矢印Ｊ２方向）に沿って互いに略平行に配設された複数の第２線材５２１と、が交点にて互いに融着されることで多数の連通孔５３１（第１線材５１１同士の間に形成される隙間と、第２線材５２１同士の間に形成される隙間と、が重なった部分に連通孔５３１が形成される。）を有する網目（メッシュ）状の筒部材を形成している。
本導管部材５０１は、本導管部材５０１が形成する筒の軸方向（図１７（ａ）中、矢印Ｊ３方向）に対して略垂直な平面に沿って切断された一端５６１と、本導管部材５０１が形成する筒の軸方向（図１７（ａ）中、矢印Ｊ３方向）に突出する歯部が形成された他端５５１と、を有しており、ここに他端５５１に形成された該歯部は、山部５５１ａと谷部５５１ｂとが交互に連続した複数の三角形状に他端５５１の縁部に沿って形成されている（複数の山部５５１ａはいずれも該軸方向（図１７（ａ）中、矢印Ｊ３方向）に対して略垂直な一平面上に存するよう形成されると共に、複数の谷部５５１ｂはいずれも該軸方向（図１７（ａ）中、矢印Ｊ３方向）に対して略垂直な一平面上に存するよう形成されている。）。
【００５６】
（第１支持部材の使用方法）
第１支持部材１０１の使用方法を説明する。
まず、上記のようにして調製した本組成物（土壌外面被覆組成物）に水分を加え、本組成物（土壌外面被覆組成物）と水分とのスラリー状の混合物を調製する。ここで用いる水分は、通常の上水道水を用いることができ、混合する水分量は、混合する本組成物（土壌外面被覆組成物）中に含まれるヤシガラ繊維の乾燥重量に対して１０倍の重さの水（ｗｙ）と、混合する本組成物（土壌外面被覆組成物）中に含まれるパルプの乾燥重量に対して２０倍の重さの水（ｗｐ）と、の合計量（ｗｙ＋ｗｐ）の水を用いる。具体的な操作としては、本組成物（土壌外面被覆組成物）５００ｇと、合計量（ｗｙ＋ｗｐ）の水（約２０℃）と、を十分な大きさの容器に装入し、約５分程度十分に撹拌することでスラリー状の混合物（以下、「スラリー物」という。）を調製した。
そして、図１８に示すように、受け皿６０１（例えば、植木鉢を載置するのに従来から用いられてきた受け皿を適宜用いることができるが、後述のように、スラリー物を作業者の手ですくって一般園芸土７０１の外面に塗りつける際、スラリー物が含有する水分が流出するので、該流出した水分を排水する排水口が多数設けられた受け皿を用いるようにしてもよい。）に第１支持部材１０１を載置する。
【００５７】
次いで、図１８に示すように、植栽する所望の植物に好適な一般園芸土７０１（該植物を通常の方法によって植え付ける際に用いる土と同様の土を用いればよい。）を、背面板１１１の前面１１３ａと半筒部材１２１（内側）との間に充填した後、さらに半筒部材１２１の外面を覆うよう一般園芸土７０１を盛りつけ、加えて横部材１４１の上面１４１ａにも一般園芸土７０１を盛る。なお、このとき一般園芸土７０１を水で濡らして作業をすると、一般園芸土７０１がまとまりやすく作業が容易である。
そして、一般園芸土７０１の外面をスラリー物にて覆う（スラリー物は、作業者の手ですくって該外面に塗りつけることができる。スラリー物は作業者の手ですくい、第１支持部材１０１に盛りつけられた一般園芸土７０１や第１支持部材１０１に押し付けるように盛付けることができる。このときスラリー物が含有する水分が流出除去される。）。なお、このとき一般園芸土７０１の全部を盛りつけた後、スラリー物で覆う作業を行う必要は必ずしもなく、一部の量の一般園芸土７０１を下部に盛りつけた後、該盛りつけた一般園芸土７０１の外面をスラリー物にて覆い、そしてその上部にさらに一般園芸土７０１を盛り、その一般園芸土７０１の外面をスラリー物にて覆うというように、下部から上部に向かって順番にスラリー物で覆われた一般園芸土７０１を形成してゆくようにしてもよい。さらに、先にスラリー物によって外壁を形成した後、該外壁の内側に一般園芸土７０１を充填するようにしてもよい。このようにして第１支持部材１０１に支持された一般園芸土７０１（土壌）の外面がスラリー物によって覆われ、図１９（図１９は断面を示しているが、この断面位置は図３のＴ−Ｔ断面として示される。）に示すようなもの（以下、「植え付け構造物」という。）が形成される。図１９に示すように植え付け構造物８０１においては、受け皿６０１に載置された第１支持部材１０１の背面板１１１（前面１１３ａ）と半筒部材１２１（内側）との間１２４に一般園芸土７０１（土壌）が充填されると共に、横部材１４１の上面１４１ａに一般園芸土７０１（土壌）が支持されており、これらの一般園芸土７０１（土壌）の外面が、脱水された脱水スラリー物９０１（ここでは一般園芸土７０１の外面にスラリー物が塗りつけられる際、スラリー物から水分が流出することで脱水スラリー物９０１は流動性をほぼ失っている。）によって覆われている。
【００５８】
図１９に示した植え付け構造物８０１を掘削することで、植え付け構造物８０１に植物を受け付けるための植栽穴８３１を穿設する。具体的には、本掘削具４０１を用い、図２０（断面位置は図１９に同じ）に示すように一端４５１に形成された歯部を植え付け構造物８０１に当接させつつ、中空の円筒形状をした掘削本体部４４１を該円筒の中心軸Ｑを中心に回動（回転を含む）させることで、該歯部により植え付け構造物８０１（脱水スラリー物９０１及び一般園芸土７０１（土壌））を略円形状（略円柱形状）にうまく掘削することができる。なお、このとき掘削本体部４４１の外周面に形成された目盛４７１ａ、４７１ｂ、４７１ｃによりどの程度の深さまで掘削したかが把握できるので、所望の大きさ及び深さの植栽穴８３１を自由に形成することができる。
植栽穴８３１を形成した後、図２１（断面位置は図１９及び図２０に同じ）に示すように植栽穴８３１の内部に適宜一般園芸土７０１を装入しつつ植物８５１を植え付けた後、スラリー物を塗布し脱水スラリー物９０１にて植栽穴８３１を塞ぐ。
同様にして、別の植栽穴８３３を形成し、植物を植え付けてもよい。なお、複数の植栽穴を形成する場合には、上部に存するものから下部に向かって形成するようにすれば、上部の植込み中に下部に植付けた植物に一般園芸土７０１やスラリー物が落下し下部の植物を傷めることを防止することができる。
【００５９】
その後、植え付け構造物８０１の所定位置（ここでは最上部）に本導管部材５０１を埋入する。具体的には、本導管部材５０１を図２１（断面位置は図１９及び図２０に同じ）に示すように他端５５１に形成された歯部を植え付け構造物８０１に当接させつつ、中空の円筒形状をした本導管部材５０１を該円筒の中心軸Ｑを中心に回動（回転を含む）させることで、該歯部により植え付け構造物８０１（脱水スラリー物９０１及び一般園芸土７０１（土壌））をうまく掘削（掘進）することができ、それによって本導管部材５０１を脱水スラリー物９０１にうまく埋入することができる。なお、本導管部材５０１を脱水スラリー物９０１に埋入する際、一般園芸土７０１（土壌）や脱水スラリー物９０１が本導管部材５０１内部に流入しやすいので本導管部材５０１内部（特に他端５５１側の入り口部分）を水こけ等で塞いでおいてもよい。
【００６０】
以上のようにして完成された植え付け構造物８０１は、丸一日から数日程度水遣りをせずに置いておくと自然な排水や表面からの水分蒸発によって、全体が締まることで強度が増し、形状も安定する。このため初めての水遣りと場所の移動はある程度の時間が経過してから行ったほうが崩れを防止でき良い。
数日程度経過すると、水分が抜け過ぎてひび割れができる場合があるが、ひび割れの表面からスラリー物を塗着等して補修することもできる。
【００６１】
（第２支持部材の使用方法）
第２支持部材２０１の使用方法を説明する。
図２２（第２支持部材２０１を見る方向は図５に同じ）に示すように、排水口が多数設けられた受け皿６０１に第２支持部材２０１を載置する。
次いで、図２２に示すように、植栽する所望の植物に好適な一般園芸土７０１を筒部材２２１の内部に充填すると共に、筒部材２２１の外面を一般園芸土７０１にて覆うよう盛りつけ、さらに横部材２４１の上面２４２ａに一般園芸土７０１を盛る。なお、このとき一般園芸土７０１を水で濡らして作業をすると、一般園芸土７０１がまとまりやすく作業が容易である。
そして、第１支持部材１０１の場合と同様、一般園芸土７０１の外面をスラリー物にて覆う（スラリー物は、作業者の手ですくって該外面に塗りつけることができる。）。なお、このとき一般園芸土７０１の全部を盛りつけた後、スラリー物で覆う作業を行う必要は必ずしもなく、第１支持部材１０１と同様、下部から上部に向かって順番にスラリー物で覆われた一般園芸土７０１を形成してゆくようにしてもよい。さらに、先にスラリー物によって外壁を形成した後、該外壁の内側に一般園芸土７０１を充填するようにしてもよい。このようにして第２支持部材２０１に支持された一般園芸土７０１（土壌）の外面が脱水スラリー物によって覆われ、第１支持部材１０１と同様に植え付け構造物が形成される。この第２支持部材２０１の植え付け構造物においては、筒部材２２１の内部に一般園芸土７０１（土壌）が充填され、筒部材２２１の外面を一般園芸土７０１が覆い、そして横部材２４１の上面２４２ａに一般園芸土７０１（土壌）が支持されており、これらの一般園芸土７０１（土壌）の外面が脱水スラリー物（ここでは一般園芸土７０１の外面に塗りつけられる際、スラリー物から水分が流出することでスラリー物は流動性をほぼ失う。）によって覆われる。
【００６２】
その後、前記植え付け構造物を掘削することで、前記植え付け構造物に植物を受け付けるための植栽穴を穿設する。具体的には、本掘削具４０１を用い、第１支持部材１０１の場合と同様、一端４５１に形成された歯部を前記植え付け構造物に当接させつつ、中空の円筒形状をした掘削本体部４４１を該円筒の中心軸を中心に回動（回転を含む）させることで、該歯部により前記植え付け構造物（脱水スラリー物及び一般園芸土７０１（土壌））を略円形状（略円柱形状）にうまく掘削する（このとき掘削本体部４４１の外周面に形成された目盛４７１ａ、４７１ｂ、４７１ｃによりどの程度の深さまで掘削したかが把握できる。）。
所望の植栽穴を形成した後、第１支持部材１０１と同様、図２３（第２支持部材２０１の断面位置は図６に同じ。）に示すように植栽穴の内部に適宜一般園芸土７０１を装入しつつ植物８５１を植え付けた後、脱水スラリー物９０１にて植栽穴を塞ぐ。
【００６３】
その後、植え付け構造物８２１の所定位置（ここでは最上部）に本導管部材５０１を埋入する。具体的には、第１支持部材１０１と同様、本導管部材５０１を図２３に示すように他端５５１に形成された歯部を植え付け構造物８２１に当接させつつ、中空の円筒形状をした本導管部材５０１を該円筒の中心軸を中心に回動（回転を含む）させることで、該歯部により植え付け構造物８２１（脱水スラリー物９０１及び一般園芸土７０１（土壌））をうまく掘削（掘進）することができ、それによって本導管部材５０１を脱水スラリー物９０１にうまく埋入することができる（本導管部材５０１を脱水スラリー物９０１に埋入する際、一般園芸土７０１（土壌）や脱水スラリー物９０１の本導管部材５０１内部への流入を防止等するため本導管部材５０１内部（特に他端５５１側の入り口部分）を水こけ等で塞いでおいてもよい。）。
以上のようにして完成された植え付け構造物８２１は、第１支持部材１０１と同様、丸一日から数日程度水遣りをせずに置いておくと自然な排水や表面からの水分蒸発によって、全体が締まることで強度が増し、形状も安定する。数日程度経過すると、水分が抜け過ぎてひび割れができる場合があるが、ひび割れの表面からスラリー物を塗着等して補修することもできる。
【００６４】
（第３支持部材の使用方法）
第３支持部材３０１も、第１支持部材１０１及び第２支持部材２０１と同様に用いることができる。第３支持部材３０１の場合、横部材３２１（３２１ａ、３２１ｂ）と横部材３２３（３２３ａ、３２３ｂ）との上面に第１支持部材１０１及び第２支持部材２０１と同様に一般園芸土７０１（土壌）を盛るが、筒部材３４１ａ、３４１ｂ、３４１ｃ、３４１ｄについては内部に一般園芸土７０１（土壌）を充填することもできるし、筒部材３４１ａ、３４１ｂ、３４１ｃ、３４１ｄの内部に水苔を充填することもできるし、筒部材３４１ａ、３４１ｂ、３４１ｃ、３４１ｄの内部を空洞としておくこともできる。
その後、第１支持部材１０１及び第２支持部材２０１と同様、一般園芸土７０１の外面を脱水スラリー物にて覆う（スラリー物は、作業者の手ですくって該外面に塗りつけることで脱水スラリー物により該外面を覆うことができる。）。
そして、脱水スラリー物にて覆われ形成された植え付け構造物を本掘削具４０１を用いて掘削することで、植え付け構造物に植物を受け付けるための植栽穴を穿設する。
所望の植栽穴を形成した後、第１支持部材１０１及び第２支持部材２０１と同様、植栽穴の内部に適宜一般園芸土を装入しつつ植物を植え付けた後、脱水スラリー物にて植栽穴を塞ぐ。
その後、前記植え付け構造物の所定位置（例えば、最上部）に本導管部材５０１を埋入する。
以上のようにして完成された植え付け構造物は、第１支持部材１０１及び第２支持部材２０１と同様、丸一日から数日程度水遣りをせずに置いておくと自然な排水や表面からの水分蒸発によって、全体が締まることで強度が増し、形状も安定する。数日程度経過すると、水分が抜け過ぎてひび割れができる場合があるが、ひび割れの表面からスラリー物を塗着等して補修することもできる。
【００６５】
以上のように、本組成物は、植物８５１を植え付けるための土壌７０１（一般園芸土７０１）の外面を被覆する、天然植物繊維（ここではヤシガラ繊維を用いた）とパルプ（ここでは牛乳パックを原料とした牛乳パック再生パルプを用いた）とを含有してなる、土壌外面被覆組成物である。この本組成物と水分との混合物（スラリー物）を土壌７０１（一般園芸土７０１）の外面に被覆し、該混合物から水分が蒸発等して固化して形成される被覆物（土壌外面被覆固形物、脱水スラリー物９０１が乾燥したもの）により土壌７０１（一般園芸土７０１）の外面を被覆することで、土壌７０１（一般園芸土７０１）の崩れを防止又は減少させ土壌７０１（一般園芸土７０１）を立体的（鉛直上下方向に沿った）な状態に保つことができる。
上述の通り、本組成物においては、天然植物繊維がヤシガラ繊維であり、そしてパルプが古紙パルプ（牛乳パックを原料とした牛乳パック再生パルプ）である。
そして、本組成物においては、パーライト、クンタン、腐葉土、ピートモス及びバーミキュライトよりなる群より選ばれる１又は２以上の混合物である土成分をさらに含むものである。かかる土成分を含有させることで、本組成物と水分との混合物（スラリー物）を土壌７０１（一般園芸土７０１）の外面に被覆し、該混合物から水分が蒸発等して固化して形成される被覆物（土壌外面被覆固形物、脱水スラリー物９０１が乾燥したもの）の表面の色彩を所望のものに調整することができ、さらに該表面に凹凸をうまくつけることができる（趣向にあわせて該表面に凹凸をうまくつけることができる。）。
【００６６】
本組成物においては、土壌外面被覆組成物（本組成物）全体の乾燥重量ｗｔに対するパルプの乾燥重量ｗ２の割合（ｗ２／ｗｔ）が０．２３以上であれば、本組成物と水分との混合物（スラリー物）を土壌７０１（一般園芸土７０１）の外面に被覆し該混合物から水分が蒸発等して固化して形成される被覆物（土壌外面被覆固形物、脱水スラリー物９０１が乾燥したもの）に水分（例えば、水やりや雨水等による水分）が付着しても被覆物（土壌外面被覆固形物、脱水スラリー物９０１が乾燥したもの）が崩れにくく形状保持性が良好である。また、本組成物において、土壌外面被覆組成物（本組成物）全体の乾燥重量ｗｔに対するパルプの乾燥重量ｗ２の割合（ｗ２／ｗｔ）が０．６７以下であれば、本組成物と水分との混合物（スラリー物）を土壌７０１（一般園芸土７０１）の外面に被覆し該混合物から水分が蒸発等して固化して形成される被覆物（土壌外面被覆固形物、脱水スラリー物９０１が乾燥したもの）の外面が土によって形成されたものに近く、外観に違和感を生じにくい。
【００６７】
本組成物においては、土壌外面被覆組成物（本組成物）全体の乾燥重量ｗｔからパルプの乾燥重量ｗ２を減じた残分（ｗｔ−ｗ２）に対する天然植物繊維の乾燥重量ｗ１の割合（ｗ１／（ｗｔ−ｗ２））が０．５以上であれば、本組成物と水分との混合物（スラリー）を土壌７０１（一般園芸土７０１）の外面に被覆し該混合物から水分が蒸発等して固化して形成される被覆物（土壌外面被覆固形物、脱水スラリー物９０１が乾燥したもの）に水分（例えば、水やりや雨水等による水分）が付着しても被覆物（土壌外面被覆固形物、脱水スラリー物９０１が乾燥したもの）が崩れにくく形状保持性が良好である（なお、（ｗ１／（ｗｔ−ｗ２））の上限は１である。）。
【００６８】
本組成物においては、天然植物繊維の乾燥重量ｗ１に対するパルプの乾燥重量ｗ２の割合（ｗ２／ｗ１）が、０．３〜４である。（ｗ２／ｗ１）が０．３以上であれば、本組成物と水分との混合物（スラリー物）を土壌７０１（一般園芸土７０１）の外面に被覆し該混合物から水分が蒸発等して固化して形成される被覆物（土壌外面被覆固形物、脱水スラリー物９０１が乾燥したもの）に水分（例えば、水やりや雨水等による水分）が付着しても被覆物（土壌外面被覆固形物、脱水スラリー物９０１が乾燥したもの）が崩れにくく形状保持性が良好である。そして、（ｗ２／ｗ１）が４以下であるので、本組成物と水分との混合物（スラリー物）を土壌７０１（一般園芸土７０１）の外面に被覆し該混合物から水分が蒸発等して固化して形成される被覆物（土壌外面被覆固形物、脱水スラリー物９０１が乾燥したもの）の外面が土によって形成されたものに近く、外観に違和感を生じにくい。
【００６９】
第１支持部材１０１は、植物８５１を植え付けるための土壌７０１（一般園芸土７０１）を支持するため、載置面（ここでは受け皿６０１の上面）に載置される支持部材であって、下面（背面板１１１の下端１１１ｂ）が載置面（受け皿６０１の上面）に当接し、上方にのびるように形成された縦部材（背面板１１１を含んで構成される。）と、該土壌７０１（一般園芸土７０１）を支持する上面１４１ａが横方向に突出するよう縦部材（背面板１１１）に取り付けられた板状の横部材１４１と、を備えてなる、支持部材である。
さらに、第１支持部材１０１では、前記横部材１４１の上面１４１ａが、縦部材（背面板１１１）に取り付けられた基端１４５ａ、１４５ｂ側から先端１４３側に向かうにつれて上昇するものである。なお、基端１４５ａ、１４５ｂ側から先端１４３側に向かうにつれて上昇する水平（受け皿６０１の上面が略水平である）に対する角度が４５度（１５〜７０度）であり、該角度が１５度以上であるので土壌７０１に加わる重力の該上面１４１ａに沿った分力（縦部材（背面板１１１）方向に向かう分力）が十分であり土壌７０１が先端１４３側に向かって崩れにくくなると共に、横部材１４１の下部への土壌７０１の詰め込みが容易である。そして該角度が７０度以下であるので、横部材１４１上面１４１ａの水平面への投影面積が大きく、十分な量の土壌７０１が支持でき、横部材１４１の下方空間への植え付けも容易である。
第１支持部材１０１では、横部材１４１に上面１４１ａと下面１４１ｂとを連絡する複数の開口１４９（略正方形状）が形成されている。開口１４９は、直径６ｍｍの球を通過させることができ植物８５１の根張りを良好にすることができると共に、直径１１ｍｍの球は通過させることができないので土壌７０１が上面１４１ａに安定的に支持される。
第１支持部材１０１においては、所定の線分（例えば、背面板１１１の前面１１３ａと半筒部材１２１（内側）との間に存する半筒部材１２１の長手方向Ｌに沿った線分）に対して垂直な平面のいずれで切断した輪郭も閉曲線を形成し、連通孔１２７が複数形成されている隔壁部材（ここでは半筒部材１２１と背面板１１１（の一部）とによって形成される。）をさらに備えてなる。このような隔壁部材（ここでは半筒部材１２１と背面板１１１（の一部）とによって形成される。）によって、植物８５１を植え付けるための土壌７０１が隔壁部材の内側空間と外側空間との両空間の間で流通することを減少させる。そして第１支持部材１０１では、隔壁部材（ここでは半筒部材１２１と背面板１１１（の一部）とによって形成される。）に形成された連通孔１２７を、想定される前記植物８５１の根の少なくとも一部が通過可能なものである。このため隔壁部材の内部空間に植物８５１を植え付けるための土壌７０１を収容すれば、隔壁部材の内部（土壌７０１が充填されている。）へ植物８５１が根をはるので植物８５１の生育がよい。また、連通孔１２７は、直径６ｍｍの球を通過させることができ植物８５１の根張りを良好にすることができると共に、直径１３ｍｍの球を通過させることができないので土壌７０１を隔壁部材の内部空間に安定的に保持することができる。
【００７０】
第２支持部材２０１は、植物８５１を植え付けるための土壌７０１を支持するため、載置面（ここでは受け皿６０１の上面）に載置される支持部材であって、下面（脚板２１１の下縁２１１ｂと脚板２１３の下縁２１３ｂ）が載置面（受け皿６０１の上面）に当接し、上方にのびるように形成された縦部材（脚板２１１、２１３）と、該土壌７０１を支持する上面２４２ａが横方向に突出するよう縦部材（脚板２１１、２１３）に取り付けられた板状の横部材２４１と、を備えてなる、支持部材である。
第２支持部材２０１においては、前記横部材２４１の上面２４２ａが、縦部材（脚板２１１、２１３）に取り付けられた基端側（筒部材２２１側に位置する内縁側）から先端側（外縁側）に向かうにつれて上昇するものである（横部材２４１の上面２４２ａは、円形の皿のように内側から外側に向かうにつれて上昇する。）。なお、該基端側から該先端側に向かうにつれて上昇する水平（受け皿６０１の上面が略水平である）に対する角度は４５度（１５〜７０度）であり、該角度が１５度以上であるので土壌７０１に加わる重力の該上面２４２ａに沿った分力（筒部材２２１方向に向かう分力）が十分であり土壌７０１が該先端側（即ち外方）に向かって崩れにくくなると共に、横部材２４１の下部への土壌７０１の詰め込みが容易である。そして該角度が７０度以下であるので、横部材２４１上面２４２ａの水平面への投影面積が大きく、十分な量の土壌７０１が支持でき、横部材２４１の下方空間への植え付けも容易である。
第２支持部材２０１では、横部材２４１に上面２４２ａと下面２４２ｂとを連絡する複数の開口２４７が形成されている。開口２４７は、直径６ｍｍの球を通過させることができ植物８５１の根張りを良好にすることができると共に、直径１１ｍｍの球は通過させることができないので土壌７０１が上面２４２ａに安定的に支持される。
第２支持部材２０１においては、所定の線分（例えば、筒部材２２１の内部に存し、筒部材２２１が形成する中空の円筒の軸の上に存する線分）に対して垂直な平面のいずれで切断した輪郭も閉曲線を形成し、連通孔２２２が複数形成されている隔壁部材（筒部材２２１）をさらに備えてなる。このような隔壁部材（筒部材２２１）によって、植物８５１を植え付けるための土壌７０１が隔壁部材（筒部材２２１）の内側空間と外側空間との両空間の間で流通することを減少させる。そして、第２支持部材２０１では、隔壁部材（筒部材２２１）に形成される連通孔２２２を、想定される前記植物８５１の根の少なくとも一部が通過可能なものである。このため隔壁部材（筒部材２２１）の内部空間に植物８５１を植え付けるための土壌７０１を収容すれば、隔壁部材（筒部材２２１）の内部（土壌７０１が充填されている。）へ植物８５１が根をはるので植物８５１の生育がよい。また、連通孔２２２は、直径６ｍｍの球を通過させることができ植物８５１の根張りを良好にすることができると共に、直径１３ｍｍの球を通過させることができないので土壌７０１を隔壁部材（筒部材２２１）の内部空間に安定的に保持することができる。
【００７１】
第３支持部材３０１は、植物８５１を植え付けるための土壌７０１を支持するため、載置面（例えば受け皿６０１の上面）に載置される支持部材であって、下面（脚板３１１の下縁３１１ｄと脚板３１３の下縁３１３ｄ）が載置面に当接し、上方にのびるように形成された縦部材（脚板３１１と脚板３１３）と、該土壌７０１を支持する上面（主表面３２２のうち上に存するものと、主表面３２４のうち上に存するもの）が横方向に突出するよう縦部材（脚板３１１と脚板３１３）に取り付けられた板状の横部材３２１（３２１ａ、３２１ｂ）、３２３（３２３ａ、３２３ｂ）と、を備えてなる、支持部材である。
第３支持部材３０１においては、前記横部材３２１（３２１ａ、３２１ｂ）、３２３（３２３ａ、３２３ｂ）の上面（主表面３２２のうち上に存するものと、主表面３２４のうち上に存するもの）が、縦部材（脚板３１１と脚板３１３）に取り付けられた基端（線分縁３２１ｄ１、３２１ｄ２、３２３ｄ１、３２３ｄ２）側から先端（先端部３２１ｅ、３２３ｅ）側に向かうにつれて上昇するものである。なお、該基端（線分縁３２１ｄ１、３２１ｄ２、３２３ｄ１、３２３ｄ２）側から該先端（先端部３２１ｅ、３２３ｅ）側に向かうにつれて上昇する水平（脚板３１１の下縁３１１ｄと脚板３１３の下縁３１３ｄとが接する受け皿６０１の上面は略水平である）に対する角度は４５度（１５〜７０度）であり、該角度が１５度以上であるので土壌７０１に加わる重力の該上面（主表面３２２のうち上に存するものと、主表面３２４のうち上に存するもの）に沿った分力（脚板３１３方向に向かう分力）が十分であり土壌７０１が該先端（先端部３２１ｅ、３２３ｅ）側に向かって崩れにくくなると共に、横部材３２１（３２１ａ、３２１ｂ）、３２３（３２３ａ、３２３ｂ）の下部への土壌７０１の詰め込みが容易である。そして該角度が７０度以下であるので、横部材３２１（３２１ａ、３２１ｂ）、３２３（３２３ａ、３２３ｂ）の上面（主表面３２２のうち上に存するものと、主表面３２４のうち上に存するもの）の水平面への投影面積が大きく、十分な量の土壌７０１が支持でき、横部材３２１（３２１ａ、３２１ｂ）、３２３（３２３ａ、３２３ｂ）の下方空間への植え付けも容易である。
第３支持部材３０１においては、横部材３２１（３２１ａ、３２１ｂ）、３２３（３２３ａ、３２３ｂ）に上面（主表面３２２、３２４のうち上に存するもの）と下面（主表面３２２、３２４のうち下に存するもの）とを連絡する複数の開口３２１ｈ、３２３ｈが形成されている。開口３２１ｈ、３２３ｈは、いずれも直径６ｍｍの球を通過させることができ植物８５１の根張りを良好にすることができると共に、直径１１ｍｍの球は通過させることができないので土壌７０１が上面（主表面３２２、３２４のうち上に存するもの）に安定的に支持される。
第３支持部材３０１においては、所定の線分（筒部材３４１ａ、３４１ｂ、３４１ｃ、３４１ｄのそれぞれについて、筒部材３４１ａ、３４１ｂ、３４１ｃ、３４１ｄの内部に存し、筒部材３４１ａ、３４１ｂ、３４１ｃ、３４１ｄが形成する中空の円筒の軸の上に存する線分）に対して垂直な平面のいずれで切断した輪郭も閉曲線を形成し、連通孔（筒部材３４１ａ、３４１ｂ、３４１ｃ、３４１ｄのいずれも、筒の内部空間と外部空間とを連通させる多数の連通孔を有する網目（メッシュ）状の筒部材である。）が複数形成されている隔壁部材（筒部材３４１ａ、３４１ｂ、３４１ｃ、３４１ｄ）をさらに備えてなる。このような隔壁部材（筒部材３４１ａ、３４１ｂ、３４１ｃ、３４１ｄ）によって、植物８５１を植え付けるための土壌７０１が隔壁部材（筒部材３４１ａ、３４１ｂ、３４１ｃ、３４１ｄ）の内側空間と外側空間との両空間の間で流通することを減少させる。
【００７２】
本掘削具４０１は、土壌外面被覆組成物（本組成物）と水分との混合物（スラリー物）及び該混合物から水分が蒸発し固形化した土壌外面被覆固形物の少なくとも一方を掘削する掘削具であって、少なくとも一端４５１が開放（ここでは両端４５１、４６１とも開放されている。）された中空の円筒形状をした掘削本体部４４１と、該円筒の軸方向（図１６（ａ）中、矢印Ｊ３方向）に突出するよう、該一端４５１の縁部に沿って形成された歯部（山部４５１ａと谷部４５１ｂとが交互に連続した複数の三角形状に形成されている。）と、を備えてなる、掘削具である。
そして、本掘削具４０１においては、前記一端４５１からの距離を示す目盛４７１ａ、４７１ｂ、４７１ｃが掘削本体部４４１の外周面に付されているものである。
【００７３】
本導管部材５０１は、土壌外面被覆組成物（本組成物）と水分との混合物（スラリー物）から水分が蒸発し固形化した土壌外面被覆固形物に埋入され、水分又は気体を内部に流通させる導管部材であって、少なくとも一端５６１が開放（ここでは両端５５１、５６１とも開放されている。）された中空の管形状を有すると共に、内部と外部とを連通させる連通孔５３１が複数形成されたものである、導管部材である。
本導管部材５０１においては、両端５５１、５６１が開放された中空の円筒形状を有すると共に、該両端５５１、５６１のうち前記一端５６１の反対である他端５５１の縁部に沿って、該円筒の軸方向（図１７（ａ）中、矢印Ｊ３方向）に突出するよう歯部（山部５５１ａと谷部５５１ｂとが交互に連続した複数の三角形状に形成されている。）が形成されたものである。
【００７４】
以上のような本組成物、本支持部材、本掘削具及び本導管部材は、各々単独で販売等されてもよいが、これら本組成物、本支持部材、本掘削具及び本導管部材よりなる群から選ばれる２以上のものを組み合わせて構成されたセット（植栽セット）として販売等されてよいことは前述の通りである。そして、これらセット（植栽セット）に含まれる本支持部材は、本支持部材に替え本支持部材の製作セット（本支持部材製作セット）を含めたセット（植栽セット）にしてもよい。そして、植物を植え付けるための土壌を本支持部材に支持させ、本組成物と水分との混合物（スラリー物）から水分が蒸発し固形化した土壌外面被覆固形物によって該土壌の表面が被覆されたもの（適宜、植物が植え付けられたものであってもよい）として販売等されてもよい。
【００７５】
以上説明した通り、本組成物と水分との混合物（スラリー物）から水分が蒸発し固形化した土壌外面被覆固形物によって、植物を植え付けるための土壌の表面を被覆することで、該土壌の立体的形状を保ちつつ（例えば、日常的に水遣りや雨水等により水分が土壌外面被覆固形物にかかっても安定して立体的形状を保つことができる。）、自由に植物を植え付けることができる土壌を形成することができる。また、土壌外面被覆固形物によって表面が覆われた土壌は、保水性、吸水性、通気性、排水性等のような植物が必要とする性質を保持することができ、植え付けられる植物をうまく生育させることができる。
そして、本発明においては、植物を植え付けるための土壌の表面を土壌外面被覆固形物によって被覆する際、土壌外面被覆固形物の外観を、自然の土素材によって形成されているのと似た自然な土肌の風合いにすることや、自然な感じの曲線や凹凸感をうまく表現することができる。一方、上述した特許文献１〜３に記載の発明は、プラスティックやメッシュ・シートなどの人工素材が観察されてしまい、本発明のような自然な景観を形成することは困難であった（特許文献１〜３に記載の発明に使用されている人工素材の外観の多くは、表面外観が直線的であったり、平面的であったりと形状に関しても不自然な部分が生じうる。）。なお、特許文献２及び３に記載の発明において、植込み植物の隙間から人工素材が見えるのを多量の植物を植え付けて覆い隠すには、大量の植物を植付ける必要がありコスト面で問題がある。本発明では、土肌様の土壌外面被覆固形物を用いることで、少ない株数の植物を受け付ける場合でも、趣のある外観を形成することが可能である。
本発明において植物を植え付けるための土壌の表面を土壌外面被覆固形物が被覆することで、植物の周りに土壌が露出しないよう植物の周りを隙間なく土壌外面被覆固形物が覆うことができ、それにより植物を植え付けるための土壌や水が、植物の周りに露出した土壌部分から流出することを防止又は減少させることができる。これに対し、上述の特許文献１〜３においては、植物の周りに土壌が露出し得るので、土壌や水（例えば、水遣りの度に内部から土を含んだ水分）が流出しうる。
【００７６】
特許文献１記載の植物栽培装置は吊り下げて使用することを想定したものであるため、天井にフックを設けたり吊下げスタンドを用意しなければならないことに加え、その装置を安心して吊り下げることのできる場所を確保する必要があり、使用が煩雑である。また、この特許文献１記載の植物栽培装置を水平面に立設したのでは、安定が悪く倒れてしまい、所望の効果を得られなかったり外観を損なうといったおそれがある。これに対し、本発明では、鉢植え同様に据え置きにすることができ、ある程度の重量もあるので安定感が良い。さらに、本発明では、最終的な形状を作成者が自分で造形できるので所望の外観に自由に形成することができる。
また、特許文献２記載の立体プランターは、製造者が予め設けた開口部からしか植物の植付ができず、利用者による植付け位置の選択自由度が低い。本発明では植物を植え付ける位置や方向（角度）等の自由度が高い。
さらに、特許文献３記載の立体寄植具はサイズが予め決定しておりサイズ調整はできない（該サイズに比して大きくも小さくもすることが困難である。）。本発明では、盛りつける土壌や土壌外面被覆固形物の量を調節することで、ある程度の寸法調整が可能である。
【図面の簡単な説明】
【００７７】
【図１】第１実施形態の本支持部材（第１支持部材）を示す斜視図である。
【図２】第１支持部材の左側面図である。
【図３】第１支持部材の平面図である。
【図４】第１支持部材の分解図である。
【図５】第２実施形態の支持部材（第２支持部材）を示す斜視図である。
【図６】図５のＥ−Ｅ断面図である。
【図７】第２支持部材の分解図である。
【図８】第２支持部材を組み立てる第１ステップを示す図である。
【図９】脚板を示す詳細図である。
【図１０】第３実施形態の支持部材（第３支持部材）を示す正面図である。
【図１１】第３支持部材の平面図である。
【図１２】脚板を示す図である。
【図１３】脚板を示す図である。
【図１４】横部材を示す図である。
【図１５】横部材を示す図である。
【図１６】本掘削具を示す図である。
【図１７】本導管部材を示す図である。
【図１８】第１支持部材の使用状態を示す図である。
【図１９】第１支持部材の使用状態を示す図である。
【図２０】第１支持部材の使用状態を示す図である。
【図２１】第１支持部材の使用状態を示す図である。
【図２２】第２支持部材の使用状態を示す図である。
【図２３】第２支持部材の使用状態を示す図である。
【符号の説明】
【００７８】
１０１                        第１支持部材
１１１                        背面板
１１１ａ                      上端
１１１ｂ                      下端
１１３ａ                      前面
１１３ｂ                      背面
１１５                        取付部
１１５ａ                      上端取付部
１１５ｂ                      下端取付部
１１５ｂｈ                    嵌入孔
１１５ｃ                      当接部
１１７ａ、１１７ｂ            支持突起
１２１                        半筒部材
１２３ａ、１２３ｂ            嵌入取付棒
１２４                        間
１２５ａ、１２５ｂ            長手縁部
１２７                        連通孔
１３１                        補助支持部材
１３１ｂ                      下端
１３３                        接着縁部
１３５                        嵌入溝
１３５ｂ                      底部
１４１                        横部材
１４１ａ                      上面
１４１ｂ                      下面
１４３                        先端
１４５ａ、１４５ｂ            基端
１４７                        嵌入溝
１４７ｂ                      底部
１４９                        開口
２０１                        第２支持部材
２１１、２１３                脚板
２１１ａ、２１３ａ            主表面
２１１ｂ、２１３ｂ            下縁
２１１ｃ                      上縁
２１１ｋ、２１３ｋ            嵌合溝
２１１ｍ１、２１１ｍ２、２１３ｍ１、２１３ｍ２  内縁部
２１２ａ、２１４ａ            下縁部分
２１２ｃ１、２１２ｃ２、２１４ｃ１、２１４ｃ２  脚部
２１２ｄ１、２１２ｄ２、２１４ｄ１、２１４ｄ２  側方突出部材
２１２ｄ１ａ、２１２ｄ２ａ、２１４ｄ１ａ、２１４ｄ２ａ  内縁
２１２ｅ１、２１２ｅ２、２１４ｅ１、２１４ｅ２  上方突出部材
２１２ｅ１ａ、２１２ｅ２ａ、２１４ｅ１ａ、２１４ｅ２ａ  外縁
２１２ｆ１、２１２ｆ２、２１４ｆ１、２１４ｆ２  横部材支持部
２２１                        筒部材
２２２                        連通孔
２２３                        スリット
２４１                        横部材
２４２ａ                      上面
２４２ｂ                      下面
２４３                        筒部材貫通孔
２４５                        スリット
２４７                        開口
３０１                        第３支持部材
３１１                        脚板
３１１ｄ                      下縁
３１１ｆ１ａ、３１１ｆ１ｂ、３１１ｆ３ａ、３１１ｆ３ｂ  横部材嵌入溝
３１１ｐ、３１３ｐ            主表面
３１２、３１４                嵌合溝
３１２ｗ、３１４ｗ            幅
３１３                        脚板
３１３ｄ                      下縁
３２１、３２１ａ、３２１ｂ    横部材
３２１ｄ１、３２１ｄ２、３２３ｄ１、３２３ｄ２  線分縁
３２１ｅ、３２３ｅ            先端部
３２１ｆ１、３２３ｆ１        第１外縁
３２１ｆ２、３２３ｆ２        第２外縁
３２１ｇ１、３２３ｇ１        第１内縁
３２１ｇ２、３２３ｇ２        第２内縁
３２１ｈ、３２３ｈ            開口
３２１ｎ、３２３ｎ            嵌合溝
３２２、３２４                主表面
３２３、３２３ａ、３２３ｂ    横部材
３４１、３４１ａ、３４１ｂ、３４１ｃ、３４１ｄ  筒部材
４０１                        本掘削具
４１１                        第１線材
４２１                        第２線材
４３１                        連通孔
４４１                        掘削本体部
４５１                        一端
４５１ａ                      山部
４５１ｂ                      谷部
４６１                        他端
４７１ａ、４７１ｂ、４７１ｃ  目盛
４８１ａ、４８１ｂ、４８１ｃ  距離
５０１                        本導管部材
５１１                        第１線材
５２１                        第２線材
５３１                        連通孔
５５１                        他端
５５１ａ                      山部
５５１ｂ                      谷部
５６１                        一端
６０１                        受け皿
７０１                        一般園芸土（土壌）
８０１、８２１                植え付け構造物
８３１、８３３                植栽穴
８５１                        植物
９０１                        脱水スラリー物
【図１】
2009261342.tif 000003
【図２】
2009261342.tif 000004
【図３】
2009261342.tif 000005
【図４】
2009261342.tif 000006
【図５】
2009261342.tif 000007
【図６】
2009261342.tif 000008
【図７】
2009261342.tif 000009
【図８】
2009261342.tif 000010
【図９】
2009261342.tif 000011
【図１０】
2009261342.tif 000012
【図１１】
2009261342.tif 000013
【図１２】
2009261342.tif 000014
【図１３】
2009261342.tif 000015
【図１４】
2009261342.tif 000016
【図１５】
2009261342.tif 000017
【図１６】
2009261342.tif 000018
【図１７】
2009261342.tif 000019
【図１８】
2009261342.tif 000020
【図１９】
2009261342.tif 000021
【図２０】
2009261342.tif 000022
【図２１】
2009261342.tif 000023
【図２２】
2009261342.tif 000024
【図２３】
2009261342.tif 000025